【事件の表示】
　特許第３１９６８９７号「画像印刷装置および方法、印刷媒体作成装置および方法、印刷媒体、並びに記録媒体」の請求項１ないし１９に係る特許に対する特許異議の申立てについて、次のとおり決定する。
【結　論】
　訂正を認める。
　特許第３１９６８９７号の請求項に係る特許を維持する。
【理　由】
１．手続の経緯
    特許第３１９６８９７号の請求項１〜１９に係る発明についての出願は、平成１２年８月２５日に特許出願された特願２０００−２５６２９５号の一部を、平成１３年３月６日に新たな特許出願としたものであって、平成１３年６月８日に、その発明について特許権の設定登録がされ、その後、その特許について、特許異議申立人　１．祐末　輝秀　２．遠山　恭子　３．重冨　與八郎　４．山口　知子より特許異議の申立てがなされ、平成１４年６月１７日付けで第１回目の取消の理由が通知され、その指定期間内である平成１４年８月２７日に訂正請求がされ、その後、上記各特許異議申立人に審尋をし、平成１５年２月１３日付けで第２回目の取消の理由が通知され、その指定期間内である平成１５年４月２８日に訂正請求がされたものである。
　
２．訂正の適否
（１）訂正の内容
　別紙「訂正の内容」参照。
　
（２）訂正の目的の適否、新規事項の有無、及び特許請求の範囲の拡張・変更の存否
　訂正事項ａ−２は、以下のとおりのものである。
１）「被写体を撮影する撮影手段と、」を、「予め定められた時間内に１つの筐体の前面に位置する複数の被写体を撮影する処理を複数回行う１つの撮影手段と、」と訂正する。
２）「前記撮影手段により撮影された前記被写体の画像であって、落書き対象画像を表示画面に表示する第１の表示手段と、」を、「前記撮影手段により撮影を複数回行なうことで得られた複数の前記被写体を含む複数枚の撮影画像であって、落書き対象画像を選択するための前記撮影画像、並びに、複数枚の前記撮影画像の中から、最大、シートに印刷可能な画像の種類の枚数だけ選択された前記落書き対象画像の一覧を表示画面に表示するとともに、前記落書き対象画像の一覧からさらに選択された前記落書き対象画像を前記表示画面に表示する第１の表示手段と、」と訂正する。
３）「前記第１の表示手段の前記表示画面に表示された前記落書き対象画像に対して入力された落書き入力を受け付ける受付手段と、」を、「前記第１の表示手段に積層され、前記第１の表示手段の前記表示画面に表示された前記落書き対象画像の一覧からの前記落書き対象画像の選択を受け付けるとともに、選択された前記落書き対象画像に対して入力された落書き入力を受け付ける受付手段と、」と訂正する。
４）「前記受付手段により受け付けられた前記落書き入力に基づいて前記落書き対象画像に落書きする落書き手段と、」を、「前記受付手段により受け付けられた前記落書き入力に基づいて、前記落書き対象画像の一覧から選択された前記落書き対象画像に落書きする落書き手段と、」と訂正する。
５）「前記落書き手段により落書きされた前記落書き対象画像をシートに印刷する印刷手段と」を、「前記落書き手段により落書きされた、選択された枚数の前記落書き対象画像を前記シートに印刷する印刷手段と」と訂正する。
６）「前記第１の表示手段の前記表示画面は、第１の表示画面と、前記第１の表示画面と並置されている第２の表示画面とからなる複数の表示画面から構成され、前記第１の表示画面は、前記撮影手段により撮影された前記被写体の画像であって、前記落書き対象画像のうちの第１の落書き対象画像を１枚の画像として表示し、前記第２の表示画面は、前記第１の表示画面が、前記第１の落書き対象画像を表示している状態において、前記第１の表示画面に表示されている前記第１の落書き対象画像を撮影した前記撮影手段と同一の前記撮影手段により撮影された前記被写体の画像であって、前記落書き対象画像のうちの、前記第１の落書き対象画像とは異なる第２の落書き対象画像を１枚の画像として表示し、」を、「前記第１の表示手段の前記表示画面は、第１の表示画面と、前記第１の表示画面と並置されている第２の表示画面とからなる複数の表示画面から構成され、前記第１の表示画面は、前記撮影手段により撮影された複数の前記被写体を含む複数枚の前記撮影画像の中から選択された前記落書き対象画像であって、前記落書き対象画像のうちの第１の落書き対象画像を１枚の画像として表示し、前記第２の表示画面は、前記第１の表示画面が、前記第１の落書き対象画像を表示している状態において、前記第１の表示画面に表示されている前記第１の落書き対象画像を撮影した前記撮影手段と同一の前記撮影手段により撮影された複数の前記被写体を含む複数枚の前記撮影画像の中から選択された前記落書き対象画像であって、前記落書き対象画像のうちの、前記第１の落書き対象画像とは異なる第２の落書き対象画像を１枚の画像として表示し、」と訂正する。
７）「前記受付手段は、前記複数の表示画面としての前記第１の表示画面と前記第２の表示画面のそれぞれに対応するように、前記第１の表示画面に表示された１枚の前記第１の落書き対象画像の上に入力された落書き入力を受け付ける第１の受付手段と、前記第２の表示画面に表示された１枚の前記第２の落書き対象画像の上に入力された落書き入力を受け付ける第２の受付手段とが設けられている」を、「前記受付手段は、前記複数の表示画面としての前記第１の表示画面と前記第２の表示画面のそれぞれに対応するように、前記第１の表示画面に表示された１枚の前記第１の落書き対象画像の上に入力された落書き入力を受け付ける第１の受付手段と、前記第２の表示画面に表示された１枚の前記第２の落書き対象画像の上に入力された落書き入力を受け付ける第２の受付手段とが設けられ、」と訂正する。
８）「前記第１の表示画面が表示する前記第１の落書き対象画像は、前記第１の表示画面が前記第１の落書き対象画像と同時に表示している、前記撮影手段により撮影された前記被写体の画像のうちの前記落書き対象画像の一覧の中から、前記第１の受付手段により選択が受け付けられた画像であり、」を、「前記第１の表示画面が表示する前記第１の落書き対象画像は、前記第１の表示画面が前記第１の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、」と訂正する。
９）「前記第２の表示画面が表示する前記第２の落書き対象画像は、前記第２の表示画面が前記第２の落書き対象画像と同時に表示している、前記撮影手段により撮影された前記被写体の画像のうちの前記落書き対象画像の一覧の中から、前記第２の受付手段により選択が受け付けられた画像である」を、「前記第２の表示画面が表示する前記第２の落書き対象画像は、前記第２の表示画面が前記第２の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である」と訂正する。
　
　これらの訂正事項は、特許明細書又は図面に記載した事項の範囲内の事項であり、特許請求の範囲の減縮を目的とした明細書の訂正に該当し、新規事項の追加に該当せず、また、実質上特許請求の範囲を拡張し、又は変更するものでもない。
　
　また、上記訂正事項ａ−２以外の訂正事項ａ−１、ａ−３からａ−１５、ｂ〜ｊも、特許明細書又は図面に記載した事項の範囲内であり、特許請求の範囲の減縮を目的とした明細書の訂正に該当するか、または、特許請求の範囲の訂正に伴って明細書の不明瞭な記載の釈明を目的とするものであるから、新規事項の追加に該当せず、また、実質上特許請求の範囲を拡張し、又は変更するものでもない。
　　
（３）むすび
　以上のとおりであるから、上記訂正は、特許法第１２０条の４第２項及び第３項で準用する同法第１２６条第２項から第４項までの規定に適合するので、当該訂正を認める。
　
３．特許異議申立てについての判断
３−１．特許法第２９条第２項
（１）本件発明
　上記のとおり、訂正は認められるから、本件特許の発明（請求項１〜請求項１４）は、訂正された特許明細書に記載された次のとおりのものである。（以下、「本件発明１」〜「本件発明１４」という。）
本件発明１　予め定められた時間内に１つの筐体の前面に位置する複数の被写体を撮影する処理を複数回行う１つの撮影手段と、
　前記撮影手段により撮影を複数回行なうことで得られた複数の前記被写体を含む複数枚の撮影画像であって、落書き対象画像を選択するための前記撮影画像、並びに、複数枚の前記撮影画像の中から、最大、シートに印刷可能な画像の種類の枚数だけ選択された前記落書き対象画像の一覧を表示画面に表示するとともに、前記落書き対象画像の一覧からさらに選択された前記落書き対象画像を前記表示画面に表示する第１の表示手段と、
　前記第１の表示手段に積層され、前記第１の表示手段の前記表示画面に表示された前記落書き対象画像の一覧からの前記落書き対象画像の選択を受け付けるとともに、選択された前記落書き対象画像に対して入力された落書き入力を受け付ける受付手段と、
　前記受付手段により受け付けられた前記落書き入力に基づいて、前記落書き対象画像の一覧から選択された前記落書き対象画像に落書きする落書き手段と、
　前記落書き手段により落書きされた、選択された枚数の前記落書き対象画像を前記シートに印刷する印刷手段とを備え、
　前記第１の表示手段の前記表示画面は、第１の表示画面と、前記第１の表示画面と並置されている第２の表示画面とからなる複数の表示画面から構成され、前記第１の表示画面は、前記撮影手段により撮影された複数の前記被写体を含む複数枚の前記撮影画像の中から選択された前記落書き対象画像であって、前記落書き対象画像のうちの第１の落書き対象画像を１枚の画像として表示し、前記第２の表示画面は、前記第１の表示画面が、前記第１の落書き対象画像を表示している状態において、前記第１の表示画面に表示されている前記第１の落書き対象画像を撮影した前記撮影手段と同一の前記撮影手段により撮影された複数の前記被写体を含む複数枚の前記撮影画像の中から選択された前記落書き対象画像であって、前記落書き対象画像のうちの、前記第１の落書き対象画像とは異なる第２の落書き対象画像を１枚の画像として表示し、
　前記受付手段は、前記複数の表示画面としての前記第１の表示画面と前記第２の表示画面のそれぞれに対応するように、前記第１の表示画面に表示された１枚の前記第１の落書き対象画像の上に入力された落書き入力を受け付ける第１の受付手段と、前記第２の表示画面に表示された１枚の前記第２の落書き対象画像の上に入力された落書き入力を受け付ける第２の受付手段とが設けられ、
　前記落書き入力を指示する表示は、前記複数の表示画面のうちの前記第１の表示画面と前記第２の表示画面のそれぞれに表示され、
　複数個設けられている前記受付手段としての前記第１の受付手段と前記第２の受付手段は、前記落書き入力を指示する表示に基づく前記落書き入力をそれぞれ受け付け、
　前記第１の表示画面が表示する前記第１の落書き対象画像は、前記第１の表示画面が前記第１の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とする画像印刷装置。
　
本件発明２　前記複数の表示画面のうちの前記第１の表示画面に表示される前記第１の落書き対象画像を記憶する第１の記憶手段と、
　前記複数の表示画面のうちの前記第２の表示画面に表示される前記第２の落書き対象画像を記憶する第２の記憶手段と
　をさらに備えることを特徴とする請求項１に記載の画像印刷装置。
　
本件発明３　前記印刷手段は、前記第１または第２の記憶手段により記憶された画像を前記シートに印刷する
　ことを特徴とする請求項２に記載の画像印刷装置。
　
本件発明４　前記複数の表示画面のうちの前記第１の表示画面の表示に対応する音を発生する第１の音発生手段と、
　前記複数の表示画面のうちの前記第２の表示画面の表示に対応する音を発生する第２の音発生手段と
　をさらに備え、
　前記第１の音発生手段と前記第２の音発生手段は、それぞれ異なった音を発生する
　ことを特徴とする請求項１乃至３のいずれかに記載の画像印刷装置。
　
本件発明５　前記撮影手段が撮影した前記被写体の画像を、前記撮影手段の近傍に表示する第２の表示手段をさらに備える、
　ことを特徴とする請求項１乃至４のいずれかに記載の画像印刷装置。
　
本件発明６　前記撮影手段が撮影可能な範囲であって、前記画像印刷装置とほぼ同一の幅の２段の階段をさらに含む
　ことを特徴とする請求項１乃至５のいずれかに記載の画像印刷装置。
　
本件発明７　予め定められた時間内に１つの筐体の前面に位置する複数の被写体を１つのカメラにより撮影する処理を複数回行う撮影ステップと、
　前記撮影ステップの処理により撮影を複数回行なうことで得られた複数の前記被写体を含む複数枚の撮影画像であって、落書き対象画像を選択するための前記撮影画像、並びに、複数枚の前記撮影画像の中から、最大、シートに印刷可能な画像の種類の枚数だけ選択された前記落書き対象画像の一覧を表示手段の表示画面に表示するとともに、前記落書き対象画像の一覧からさらに選択された前記落書き対象画像を前記表示手段の前記表示画面に表示する表示ステップと、
　前記表示手段に積層された受付手段により、前記表示ステップの処理により前記表示手段の前記表示画面に表示された前記落書き対象画像の一覧からの前記落書き対象画像の選択を受け付けるとともに、選択された前記落書き対象画像に対して入力された落書き入力を受け付ける受付ステップと、
　前記受付ステップの処理により受け付けられた前記落書き入力に基づいて、前記落書き対象画像の一覧から選択された前記落書き対象画像を落書きする落書きステップと、
　前記落書きステップの処理により落書きされた、選択された枚数の前記落書き対象画像を前記シートに印刷する印刷ステップと
　を含み、
　前記表示ステップの処理による表示を、第１の表示画面と、前記第１の表示画面と並置されている第２の表示画面とからなる複数の表示画面に表示させ、前記第１の表示画面には、前記カメラにより撮影された複数の前記被写体を含む複数枚の前記撮影画像の中から選択された前記落書き対象画像であって、前記落書き対象画像のうちの第１の落書き対象画像を１枚の画像として表示させ、前記第２の表示画面には、前記第１の表示画面が、前記第１の落書き対象画像を表示している状態において、前記第１の表示画面に表示されている前記第１の落書き対象画像を撮影した前記カメラと同一の前記カメラにより撮影された複数の前記被写体を含む複数枚の前記撮影画像の中から選択された前記落書き対象画像であって、前記落書き対象画像のうちの、前記第１の落書き対象画像とは異なる第２の落書き対象画像を１枚の画像として表示させ、
　前記受付ステップの処理による受け付けを、前記複数の表示画面としての前記第１の表示画面と前記第２の表示画面のうちの、前記第１の表示画面に表示された１枚の前記第１の落書き対象画像の上に入力された落書き入力を受け付けるとともに、前記第２の表示画面に表示された１枚の前記第２の落書き対象画像の上に入力された落書き入力を受け付けるように、前記第１の表示画面と前記第２の表示画面のそれぞれに対応して実行し、
　前記落書き入力を指示する表示は、前記複数の表示画面のうちの前記第１の表示画面と前記第２の表示画面のそれぞれに表示され、
　複数個設けられている前記受付手段としての第１の受付手段と第２の受付手段は、前記落書き入力を指示する表示に基づく前記落書き入力をそれぞれ受け付け、
　前記第１の表示画面が表示する前記第１の落書き対象画像は、前記第１の表示画面が前記第１の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とする画像印刷方法。
　
本件発明８　予め定められた時間内に１つの筐体の前面に位置する複数の被写体を１つのカメラにより撮影する処理を複数回行う撮影ステップと、
　前記撮影ステップの処理により撮影を複数回行なうことで得られた複数の前記被写体を含む複数枚の撮影画像であって、落書き対象画像を選択するための前記撮影画像、並びに、複数枚の前記撮影画像の中から、最大、シートに印刷可能な画像の種類の枚数だけ選択された前記落書き対象画像の一覧を表示手段の表示画面に表示するとともに、前記落書き対象画像の一覧からさらに選択された前記落書き対象画像を前記表示手段の前記表示画面に表示する表示ステップと、
　前記表示手段に積層された受付手段により、前記表示ステップの処理により前記表示手段の前記表示画面に表示された前記落書き対象画像の一覧からの前記落書き対象画像の選択を受け付けるとともに、選択された前記落書き対象画像に対して入力された落書き入力を受け付ける受付ステップと、
　前記受付ステップの処理により受け付けられた前記落書き入力に基づいて、前記落書き対象画像の一覧から選択された前記落書き対象画像を落書きする落書きステップと、
　前記落書きステップの処理により落書きされた、選択された枚数の前記落書き対象画像を前記シートに印刷する印刷ステップと
　を含み、
　前記表示ステップの処理による表示を、第１の表示画面と、前記第１の表示画面と並置されている第２の表示画面とからなる複数の表示画面に表示させ、前記第１の表示画面には、前記カメラにより撮影された複数の前記被写体を含む複数枚の前記撮影画像の中から選択された前記落書き対象画像であって、前記落書き対象画像のうちの第１の落書き対象画像を１枚の画像として表示させ、前記第２の表示画面には、前記第１の表示画面が、前記第１の落書き対象画像を表示している状態において、前記第１の表示画面に表示されている前記第１の落書き対象画像を撮影した前記カメラと同一の前記カメラにより撮影された複数の前記被写体を含む複数枚の前記撮影画像の中から選択された前記落書き対象画像であって、前記落書き対象画像のうちの、前記第１の落書き対象画像とは異なる第２の落書き対象画像を１枚の画像として表示させ、
　前記受付ステップの処理による受け付けを、前記複数の表示画面としての前記第１の表示画面と前記第２の表示画面のうちの、前記第１の表示画面に表示された１枚の前記第１の落書き対象画像の上に入力された落書き入力を受け付けるとともに、前記第２の表示画面に表示された１枚の前記第２の落書き対象画像の上に入力された落書き入力を受け付けるように、前記第１の表示画面と前記第２の表示画面のそれぞれに対応して実行し、
　前記落書き入力を指示する表示は、前記複数の表示画面のうちの前記第１の表示画面と前記第２の表示画面のそれぞれに表示され、
　複数個設けられている前記受付手段としての第１の受付手段と第２の受付手段は、前記落書き入力を指示する表示に基づく前記落書き入力をそれぞれ受け付け、
　前記第１の表示画面が表示する前記第１の落書き対象画像は、前記第１の表示画面が前記第１の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とする画像印刷方法により生成される印刷媒体。
　
本件発明９　予め定められた時間内での１つの筐体の前面に位置する複数の被写体の１つのカメラによる撮影を制御する処理を複数回行う撮影制御ステップと、
　前記撮影制御ステップの処理により撮影の制御を複数回行なうことで得られた複数の前記被写体を含む複数枚の撮影画像であって、落書き対象画像を選択するための前記撮影画像、並びに、複数枚の前記撮影画像の中から、最大、シートに印刷可能な画像の種類の枚数だけ選択された前記落書き対象画像の一覧の表示手段の表示画面への表示を制御するとともに、前記落書き対象画像の一覧からさらに選択された前記落書き対象画像の前記表示手段の前記表示画面への表示を制御する表示制御ステップと、
　前記表示手段に積層された受付手段により、前記表示制御ステップの処理により表示が制御された前記落書き対象画像の一覧からの前記落書き対象画像の選択を受け付けるとともに、選択された前記落書き対象画像に対して入力された落書き入力を受け付ける受付ステップと、
　前記受付ステップの処理により受け付けられた前記落書き入力に基づいて、前記落書き対象画像の一覧から選択された前記落書き対象画像を落書きする落書きステップと、
　前記落書きステップの処理により落書きされた、選択された枚数の前記落書き対象画像の前記シートへの印刷を制御する印刷制御ステップと
　を含み、
　前記表示制御ステップの処理では、前記被写体の前記落書き対象画像の、複数の表示画面としての第１の表示画面と、前記第１の表示画面と並置されている第２の表示画面への表示が、前記第１の表示画面は、前記カメラにより撮影された複数の前記被写体を含む複数枚の前記撮影画像の中から選択された前記落書き対象画像であって、前記落書き対象画像のうちの第１の落書き対象画像を１枚の画像として表示し、前記第２の表示画面は、前記第１の表示画面が、前記第１の落書き対象画像を表示している状態において、前記第１の表示画面に表示されている前記第１の落書き対象画像を撮影した前記カメラと同一の前記カメラにより撮影された複数の前記被写体を含む複数枚の前記撮影画像の中から選択された前記落書き対象画像であって、前記落書き対象画像のうちの、前記第１の落書き対象画像とは異なる第２の落書き対象画像を１枚の画像として表示するように制御され、
　前記受付ステップの処理による受け付けを、前記複数の表示画面としての前記第１の表示画面と前記第２の表示画面のうちの、前記第１の表示画面に表示された１枚の前記第１の落書き対象画像の上に入力された落書き入力を受け付けるとともに、前記第２の表示画面に表示された１枚の前記第２の落書き対象画像の上に入力された落書き入力を受け付けるように、前記第１の表示画面と前記第２の表示画面のそれぞれに対応して実行し、
　前記落書き入力を指示する表示は、前記複数の表示画面のうちの前記第１の表示画面と前記第２の表示画面のそれぞれに表示され、
　複数個設けられている前記受付手段としての第１の受付手段と第２の受付手段は、前記落書き入力を指示する表示に基づく前記落書き入力をそれぞれ受け付け、
　前記第１の表示画面が表示する前記第１の落書き対象画像は、前記第１の表示画面が前記第１の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とするコンピュータが読み取り可能なプログラムが記録されている記録媒体。
　
本件発明１０　予め定められた時間内に１つの筐体の前面に位置する複数の被写体を撮影する処理を複数回行う１つの撮影手段と、
　前記撮影手段により撮影を複数回行なうことで得られた複数の前記被写体を含む複数枚の撮影画像であって落書き対象画像を選択するための前記撮影画像、並びに、複数枚の前記撮影画像の中から、最大、シートに印刷可能な画像の種類の枚数だけ選択された前記落書き対象画像の一覧を表示画面に表示するとともに、前記落書き対象画像の一覧からさらに選択された前記落書き対象画像のうちの第１の落書き対象画像を、複数の前記表示画面としての第１の表示画面と、前記第１の表示画面と並置されている第２の表示画面のうちの前記第１の表示画面に、１枚の画像として表示し、前記第１の表示画面が、前記第１の落書き対象画像を表示している状態において、前記第１の表示画面に表示されている前記第１の落書き対象画像を撮影した前記撮影手段と同一の前記撮影手段により撮影された複数の前記被写体を含む複数枚の前記撮影画像の中から選択された前記落書き対象画像であって、前記落書き対象画像の一覧からさらに選択された前記落書き対象画像のうちの、前記第１の落書き対象画像とは異なる第２の落書き対象画像を、前記第２の表示画面に、１枚の画像として表示する表示手段と、
　前記表示手段に積層され、前記表示手段の前記表示画面に表示された前記落書き対象画像の一覧からの前記落書き対象画像の選択を受け付けるとともに、前記表示手段により前記複数の表示画面としての前記第１の表示画面と前記第２の表示画面にそれぞれ表示された、前記落書き対象画像の一覧から選択された前記第１の落書き対象画像と前記第２の落書き対象画像に対して入力された落書き入力をそれぞれ受け付ける第１の受付手段と第２の受付手段よりなる受付手段と、
　前記第１の受付手段と前記第２の受付手段により受け付けられた前記落書き入力に基づいて、前記複数の表示画面としての前記第１の表示画面と前記第２の表示画面に表示された、前記落書き対象画像の一覧から選択された前記第１の落書き対象画像と前記第２の落書き対象画像に落書きする落書き手段と、
　前記落書き手段により落書きされた前記複数の表示画面としての前記第１の表示画面と前記第２の表示画面に表示された前記第１の落書き対象画像と前記第２の落書き対象画像を所定の印刷媒体としての前記シートに印刷する印刷手段と、
　前記印刷手段により、前記複数の表示画面としての前記第１の表示画面と前記第２の表示画面に表示された前記第１の落書き対象画像と前記第２の落書き対象画像が印刷された前記印刷媒体としてのシートを排出する排出手段と
　を備え、
　前記落書き入力を指示する表示は、前記複数の表示画面のうちの前記第１の表示画面と前記第２の表示画面のそれぞれに表示され、
　複数個設けられている前記受付手段としての前記第１の受付手段と前記第２の受付手段は、前記落書き入力を指示する表示に基づく前記落書き入力をそれぞれ受け付け、
　前記第１の表示画面が表示する前記第１の落書き対象画像は、前記第１の表示画面が前記第１の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とする印刷媒体作成装置。
　
本件発明１１　予め定められた時間内に１つの筐体の前面に位置する複数の被写体を１つのカメラにより撮影する処理を複数回行う撮影ステップと、
　前記撮影ステップの処理により撮影を複数回行なうことで得られた複数の前記被写体を含む複数枚の撮影画像であって、落書き対象画像を選択するための前記撮影画像、並びに、複数枚の前記撮影画像の中から、最大、シートに印刷可能な画像の種類の枚数だけ選択された前記落書き対象画像の一覧を表示手段の表示画面に表示するとともに、前記落書き対象画像の一覧からさらに選択された前記落書き対象画像のうちの第１の落書き対象画像を、複数の前記表示画面としての第１の表示画面と、前記第１の表示画面と並置されている第２の表示画面のうちの前記第１の表示画面に、１枚の画像として表示し、前記第１の表示画面が、前記第１の落書き対象画像を表示している状態において、前記第１の表示画面に表示されている前記第１の落書き対象画像を撮影した前記カメラと同一の前記カメラにより撮影された複数の前記被写体を含む複数枚の前記撮影画像の中から選択された前記落書き対象画像であって、前記落書き対象画像の一覧からさらに選択された前記落書き対象画像のうちの、前記第１の落書き対象画像とは異なる第２の落書き対象画像を、前記第２の表示画面に、１枚の画像として表示する表示ステップと、
　前記表示手段に積層された受付手段により、前記表示手段の前記表示画面に表示された前記落書き対象画像の一覧からの前記落書き対象画像の選択を受け付けるとともに、前記表示ステップの処理により前記複数の表示画面としての前記第１の表示画面と前記第２の表示画面にそれぞれ表示された、前記落書き対象画像の一覧から選択された前記落書き対象画像としての前記第１の落書き対象画像と前記第２の落書き対象画像に対して入力された落書き入力を受け付ける受付ステップと、
　前記受付ステップの処理により受け付けられた前記落書き入力に基づいて、前記複数の表示画面としての前記第１の表示画面と前記第２の表示画面に表示された、前記落書き対象画像の一覧から選択された前記落書き対象画像としての前記第１の落書き対象画像と前記第２の落書き対象画像に落書きする落書きステップと、
　前記落書きステップの処理により落書きされた前記複数の表示画面としての前記第１の表示画面と前記第２の表示画面に表示された前記第１の落書き対象画像と前記第２の落書き対象画像を所定の印刷媒体としての前記シートに印刷する印刷ステップと、
　前記印刷ステップの処理により、前記複数の表示画面としての前記第１の表示画面と前記第２の表示画面に表示された前記落書き対象画像としての前記第１の落書き対象画像と前記第２の落書き対象画像が印刷された前記印刷媒体としてのシートを排出する排出ステップと
　を含み、
　前記落書き入力を指示する表示は、前記複数の表示画面のうちの前記第１の表示画面と前記第２の表示画面のそれぞれに表示され、
　複数個設けられている前記受付手段としての第１の受付手段と第２の受付手段は、前記落書き入力を指示する表示に基づく前記落書き入力をそれぞれ受け付け、
　前記第１の表示画面が表示する前記第１の落書き対象画像は、前記第１の表示画面が前記第１の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とする印刷媒体作成方法。
　
本件発明１２　予め定められた時間内での１つの筐体の前面に位置する複数の被写体の１つのカメラによる撮影を制御する処理を複数回行う撮影制御ステップと、
　前記撮影制御ステップの処理により撮影の制御を複数回行なうことで得られた複数の前記被写体を含む複数枚の撮影画像であって、落書き対象画像を選択するための前記撮影画像、並びに、複数枚の前記撮影画像の中から、最大、シートに印刷可能な画像の種類の枚数だけ選択された前記落書き対象画像の一覧の表示手段の表示画面への表示を制御するとともに、前記落書き対象画像の一覧からさらに選択された前記落書き対象画像の複数の前記表示画面としての第１の表示画面と、前記第１の表示画面と並置されている第２の表示画面に対する表示を、前記第１の表示画面は、前記カメラにより撮影された複数の前記被写体を含む複数枚の前記撮影画像の中から選択された前記落書き対象画像であって、前記落書き対象画像のうちの第１の落書き対象画像を１枚の画像として表示し、前記第２の表示画面は、前記第１の表示画面が、前記第１の落書き対象画像を表示している状態において、前記第１の表示画面に表示されている前記第１の落書き対象画像を撮影した前記カメラと同一の前記カメラにより撮影された複数の前記被写体を含む複数枚の前記撮影画像の中から選択された前記落書き対象画像であって、前記落書き対象画像の一覧から選択された前記落書き対象画像のうちの、前記第１の落書き対象画像とは異なる第２の落書き対象画像を１枚の画像として表示するように制御する表示制御ステップと、
　前記表示手段に積層された受付手段により、前記表示手段の前記表示画面に表示された前記落書き対象画像の一覧からの前記落書き対象画像の選択を受け付けるとともに、前記表示制御ステップの処理により前記複数の表示画面としての前記第１の表示画面と前記第２の表示画面にそれぞれ表示が制御された、前記落書き対象画像の一覧から選択された前記落書き対象画像としての前記第１の落書き対象画像と前記第２の落書き対象画像に対して入力された落書き入力を受け付ける受付ステップと、
　前記受付ステップの処理により受け付けられた前記落書き入力に基づいて、前記複数の表示画面としての前記第１の表示画面と前記第２の表示画面にそれぞれ表示された、前記落書き対象画像の一覧から選択された前記落書き対象画像としての前記第１の落書き対象画像と前記第２の落書き対象画像を落書きする落書きステップと、
　前記落書きステップの処理により落書きされた前記複数の表示画面としての前記第１の表示画面と前記第２の表示画面に表示された前記落書き対象画像としての前記第１の落書き対象画像と前記第２の落書き対象画像の所定の印刷媒体としての前記シートに対する印刷を制御する印刷制御ステップと、
　前記印刷制御ステップの処理により、前記複数の表示画面としての前記第１の表示画面と前記第２の表示画面に表示された前記落書き対象画像としての前記第１の落書き対象画像と前記第２の落書き対象画像の印刷が制御された前記印刷媒体としてのシートの排出を制御する排出制御ステップと
　を含み、
　前記落書き入力を指示する表示は、前記複数の表示画面のうちの前記第１の表示画面と前記第２の表示画面のそれぞれに表示され、
　複数個設けられている前記受付手段としての第１の受付手段と第２の受付手段は、前記落書き入力を指示する表示に基づく前記落書き入力をそれぞれ受け付け、
　前記第１の表示画面が表示する前記第１の落書き対象画像は、前記第１の表示画面が前記第１の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とするコンピュータが読み取り可能なプログラムが記録されている記録媒体。
　
本件発明１３　被写体を撮影する撮影手段と、
　前記撮影手段により撮影された前記被写体の画像であって落書き対象画像を表示する表示手段と、
　前記表示手段により表示された前記落書き対象画像に対して入力された落書き入力を受け付ける受付手段と、
　前記受付手段により受け付けられた前記落書き入力に基づいて前記落書き対象画像に落書きする落書き手段と、
　前記落書き手段により落書きされた前記落書き対象画像をシートに印刷する印刷手段とを備え、
　前記表示手段の表示画面は、第１の表示画面と、前記第１の表示画面と並置されている第２の表示画面とからなる複数の表示画面から構成され、前記第１の表示画面は、前記撮影手段により撮影された前記被写体の画像であって、前記落書き対象画像のうちの第１の落書き対象画像を表示し、前記第２の表示画面は、前記第１の表示画面が、前記第１の落書き対象画像を表示している状態において、前記第１の表示画面に表示されている前記第１の落書き対象画像を撮影した前記撮影手段と同一の前記撮影手段により撮影された前記被写体の画像であって、前記落書き対象画像のうちの第２の落書き対象画像を表示し、
　前記受付手段は、前記複数の表示画面としての前記第１の表示画面と前記第２の表示画面のそれぞれに対応するように、前記第１の表示画面に表示された前記第１の落書き対象画像の上に入力された落書き入力を受け付ける第１の受付手段と、前記第２の表示画面に表示された前記第２の落書き対象画像の上に入力された落書き入力を受け付ける第２の受付手段とが設けられており、
　前記複数の表示画面のうち、前記第１の表示画面に表示された前記第１の落書き対象画像と、前記第２の表示画面に表示された前記第２の落書き対象画像が同一であり、かつ、前記受付手段としての前記第１の受付手段と前記第２の受付手段が、前記第１の落書き対象画像と前記第２の落書き対象画像の同一位置に、同時に前記落書き入力を受け付けた場合、前記落書き手段は、利用者としての前記被写体が意図していない図形を落書きする
　ことを特徴とする画像印刷装置。
　
本件発明１４　被写体を撮影する撮影手段と、
　前記撮影手段により撮影された前記被写体の画像であって落書き対象画像を表示する表示手段と、
　前記表示手段により表示された前記落書き対象画像に対して入力された落書き入力を受け付ける受付手段と、
　前記受付手段により受け付けられた前記落書き入力に基づいて前記落書き対象画像に落書きする落書き手段と、
　前記落書き手段により落書きされた前記落書き対象画像をシートに印刷する印刷手段とを備え、
　前記表示手段の表示画面は、第１の表示画面と、前記第１の表示画面と並置されている第２の表示画面とからなる複数の表示画面から構成され、前記第１の表示画面は、前記撮影手段により撮影された前記被写体の画像であって、前記落書き対象画像のうちの第１の落書き対象画像を表示し、前記第２の表示画面は、前記第１の表示画面が、前記第１の落書き対象画像を表示している状態において、前記第１の表示画面に表示されている前記第１の落書き対象画像を撮影した前記撮影手段と同一の前記撮影手段により撮影された前記被写体の画像であって、前記落書き対象画像のうちの第２の落書き対象画像を表示し、
　前記受付手段は、前記複数の表示画面としての前記第１の表示画面と前記第２の表示画面のそれぞれに対応するように、前記第１の表示画面に表示された前記第１の落書き対象画像の上に入力された落書き入力を受け付ける第１の受付手段と、前記第２の表示画面に表示された前記第２の落書き対象画像の上に入力された落書き入力を受け付ける第２の受付手段とが設けられており、
　前記複数の表示画面のうち、前記第１の表示画面に表示された前記第１の落書き対象画像と、前記第２の表示画面に表示された前記第２の落書き対象画像が同一であり、かつ、前記受付手段としての前記第１の受付手段と前記第２の受付手段のうちの一方が、他方から落書き入力を既に受けている位置に対応する位置に前記落書き入力を受け付けた場合、前記落書き手段は、利用者としての前記被写体が意図していない図形を落書きする
　ことを特徴とする画像印刷装置。
　
（２）平成１５年２月１３日付け取消理由通知で引用された刊行物に記載された発明
　　
刊行物２；特開２０００−６９４０４号公報
　利用者を撮影するためのＣＣＤカメラ８、液晶ディスプレイ６２を利用したモニタ１０、液晶ディスプレイ６２上に重ねられた透明なデジタイザ６０、２本のタッチペン１１、化粧モード・お絵かきモードからなる編集処理機能、及びプリンタ２０等からなる画像プリント作成装置が記載されている。
　
刊行物１；特開平１１−２３４６０２号公報
  カメラ２、モニタ３、画像編集装置５１、合成装置５２、情報記録再生装置５３、及び印刷装置６等からなる映像プリント供給装置１００Ａ、１００Ｂであって、「各装置において編集済みの画像（切抜画像）が送信されるが、未編集の映像を他の装置に送ることもできる。また、各装置で受信した他の装置からの編集済み画像あるいは未編集映像を各装置において編集可能に構成することもできる。」（段落【００２３】）点、「図５に示す映像プリント遊戯装置３００は、１つの筐体内に２台分の装置をまとめたもので、第１ユニット３００Ａと第２ユニット３００Ｂを通信ケーブル１０で接続している。」（段落【００３１】）点、「１つの筐体内に複数のユニットを設ける場合、各ユニット毎に制御装置５を設けるのではなく、１つの制御装置５により各ユニットの制御を行うようにしても良い。また、印刷装置６についても同様であり、１つの印刷装置を各ユニットに共通の印刷装置とすることもできる。制御装置５あるいは印刷装置６を各ユニットに共通とすることにより、装置構成部品の数を減らし、小型化及びコスト低減を図ることができる。」（段落【００３２】）点、「図６，７に示す実施形態では、複数台の装置を通信により接続するものではないが、通信で接続したものと同様、多人数での撮影や従来とは違う映像のプリントを行うことができ、より多様なプリントを供給することができる。」（段落【００３６】）点等が記載されている。
　
（３）対比・判断
（３）−１
　本件発明１と刊行物２、刊行物１に記載された発明と対比すると、両刊行物には、本件発明１の、少なくとも「前記第１の表示画面が表示する前記第１の落書き対象画像は、前記第１の表示画面が前記第１の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、前記第２の表示画面が表示する前記第２の落書き対象画像は、前記第２の表示画面が前記第２の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である」点の構成については、記載されておらず、示唆もされていない。
　
　上記本件発明１の構成は、平成１５年２月１３日付け取消理由通知で引用された以下の刊行物にも、記載も、示唆もされていない。
刊行物３７（特開平８−１５３０９５号公報）
刊行物１４（実用新案登録第３０６４４８６号公報）
刊行物２０（特開２０００−３１６４号公報）
刊行物２１（特開平９−３１９４６１号公報）
刊行物２３（実用新案登録第３０３２４９２号公報）
刊行物７（特開平１１−２３４６０３号公報）
刊行物２４（実用新案登録第３０４３７８３号公報）
刊行物２５（米国特許第５７８４６５１号明細書）
刊行物２６（実願昭５１−１２５０２号（実開昭５２−１０３８３２号公報）のマイクロフィルム）
　
　また、上記本件発明１の構成は、異議申立人　１．祐末　輝秀　２．遠山　恭子　３．重冨　與八郎　４．山口　知子が提出した、他のいずれの証拠にも、記載も、示唆もされていない。
　
　したがって、本件発明１と刊行物２、刊行物１に記載された発明との他の相違点について検討、判断を示すまでもなく、本件発明１は、上記各刊行物、上記の各異議申立人が提示した他の証拠に記載された発明に基づいて当業者が容易に発明をすることができたものとすることはできない。、
　
（３）−２
　本件発明２〜６は、いずれも本件発明１を更に限定したものであり、上記本件発明１についての判断と同様の理由により、上記刊行物、上記の各異議申立人が提示した他の証拠に記載された発明に基づいて当業者が容易に発明をすることができたものではない。
　
（３）−３
　本件発明７の、少なくとも「前記第１の表示画面が表示する前記第１の落書き対象画像は、前記第１の表示画面が前記第１の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である」点の構成については、上記各刊行物、上記の各異議申立人が提示した他の証拠に記載されておらず、示唆もされていないので、それらに記載された発明に基づいて当業者が容易に発明をすることができたものではない。
　
（３）−４
　本件発明８の、少なくとも「前記第１の表示画面が表示する前記第１の落書き対象画像は、前記第１の表示画面が前記第１の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である」点の構成については、上記各刊行物、上記の各異議申立人が提示した他の証拠に記載されておらず、示唆もされていないので、それらに記載された発明に基づいて当業者が容易に発明をすることができたものではない。
　
（３）−５
　本件発明９の、少なくとも「前記第１の表示画面が表示する前記第１の落書き対象画像は、前記第１の表示画面が前記第１の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である」点の構成については、上記各刊行物、上記の各異議申立人が提示した他の証拠に記載されておらず、示唆もされていないので、それらに記載された発明に基づいて当業者が容易に発明をすることができたものではない。
　
（３）−６
　本件発明１０の、少なくとも「前記第１の表示画面が表示する前記第１の落書き対象画像は、前記第１の表示画面が前記第１の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である」点の構成については、上記各刊行物、上記の各異議申立人が提示した他の証拠に記載されておらず、示唆もされていないので、それらに記載された発明に基づいて当業者が容易に発明をすることができたものではない。
　
（３）−７
　本件発明１１の、少なくとも「前記第１の表示画面が表示する前記第１の落書き対象画像は、前記第１の表示画面が前記第１の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である」点の構成については、上記各刊行物、上記の各異議申立人が提示した他の証拠に記載されておらず、示唆もされていないので、それらに記載された発明に基づいて当業者が容易に発明をすることができたものではない。
　
（３）−８
　本件発明１２の、少なくとも「前記第１の表示画面が表示する前記第１の落書き対象画像は、前記第１の表示画面が前記第１の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である」点の構成については、上記各刊行物、上記の各異議申立人が提示した他の証拠に記載されておらず、示唆もされていないので、それらに記載された発明に基づいて当業者が容易に発明をすることができたものではない。
　
（３）−９
　本件発明１３の、少なくとも「前記複数の表示画面のうち、前記第１の表示画面に表示された前記第１の落書き対象画像と、前記第２の表示画面に表示された前記第２の落書き対象画像が同一であり、かつ、前記受付手段としての前記第１の受付手段と前記第２の受付手段が、前記第１の落書き対象画像と前記第２の落書き対象画像の同一位置に、同時に前記落書き入力を受け付けた場合、前記落書き手段は、利用者としての前記被写体が意図していない図形を落書きする」点の構成については、上記各刊行物、上記の各異議申立人が提示した他の証拠に記載されておらず、示唆もされていないので、それらに記載された発明に基づいて当業者が容易に発明をすることができたものではない。
　
（３）−１０
　本件発明１４の、少なくとも「前記複数の表示画面のうち、前記第１の表示画面に表示された前記第１の落書き対象画像と、前記第２の表示画面に表示された前記第２の落書き対象画像が同一であり、かつ、前記受付手段としての前記第１の受付手段と前記第２の受付手段のうちの一方が、他方から落書き入力を既に受けている位置に対応する位置に前記落書き入力を受け付けた場合、前記落書き手段は、利用者としての前記被写体が意図していない図形を落書きする」点の構成については、上記各刊行物、上記の各異議申立人が提示した他の証拠に記載されておらず、示唆もされていないので、それらに記載された発明に基づいて当業者が容易に発明をすることができたものではない。
　
３−２．特許法第２９条第１項第３号
　本件発明１〜１４は、上記「３−１．特許法第２９条第２項」で、検討したように、上記各刊行物、上記の各異議申立人が提示した他の証拠に記載されておらず、示唆もされていない構成を有するものであるので、それらに記載された発明ではない。
　
３−３．特許法第３６条
　特許異議申立人　４．山口　知子は、特許異議申立書中で、「複数の表示画面」と「複数の受付手段」との関連構成が、当業者がその実施をできる程度に明確かつ十分に記載されていない旨、主張しているが、この点は、特許明細書又は図面に記載した事項の範囲内での訂正により、当業者がその実施をできる程度に明確かつ十分に記載されることとなった。
　
４．むすび
　以上のとおりであるから、異議申立人の理由及び証拠によっては、本件発明１〜１４についての特許を取り消すことができない。
　また、他に本件発明１〜１４についての特許を取り消すべき理由を発見しない。
　よって結論のとおり決定する。
【異議決定日】
平成１５年５月１５日（２００３．５．１５）
【訂正の要旨】
　ａ−１．特許請求の範囲の請求項１を削除する。
　ａ−２．特許請求の範囲の請求項１を引用する請求項２に、「【請求項２】　前記落書き入力を指示する表示は、前記複数の表示画面のうちの前記第１の表示画面と前記第２の表示画面のそれぞれに表示され、
　複数個設けられている前記受付手段としての前記第１の受付手段と前記第２の受付手段は、前記落書き入力を指示する表示に基づく前記落書き入力をそれぞれ受け付け、
　前記第１の表示画面が表示する前記第１の落書き対象画像は、前記第１の表示画面が前記第１の落書き対象画像と同時に表示している、前記撮影手段により撮影された前記被写体の画像のうちの前記落書き対象画像の一覧の中から、前記第１の受付手段により選択が受け付けられた画像であり、
　前記第２の表示画面が表示する前記第２の落書き対象画像は、前記第２の表示画面が前記第２の落書き対象画像と同時に表示している、前記撮影手段により撮影された前記被写体の画像のうちの前記落書き対象画像の一覧の中から、前記第２の受付手段により選択が受け付けられた画像である
　ことを特徴とする請求項１に記載の画像印刷装置。」とあるのを、
　「【請求項
１
予め定められた時間内に１つの筐体の前面に位置する複数の
処理を複数回行う１つの
　前記撮影手段により撮影
を複数回行なうことで得られた複数の
を含む複数枚
撮影
落書き対象画像を選択するための前記撮影画像、並びに、複数枚の前記撮影画像の中から、最大、シートに印刷可能な画像の種類の枚数だけ選択された前記落書き対象画像の一覧を表示画面に表示するとともに、前記落書き対象画像の一覧からさらに選択された前期
前記
　前記第１の表示手段
に積層され、前記第１の表示手段
前記落書き対象画像の一覧からの前記落書き対象画像の選択を受け付けるとともに、選択された
　前記受付手段により受け付けられた前記落書き入力に基づいて
、前記落書き対象画像の一覧から選択された
　前記落書き手段により落書きされた
、選択された枚数の
前記
　前記第１の表示手段の前記表示画面は、第１の表示画面と、前記第１の表示画面と並置されている第２の表示画面とからなる複数の表示画面から構成され、前記第１の表示画面は、前記撮影手段により撮影された
複数の
を含む複数枚の前記撮影画像の中から選択された前記落書き対象
複数の
を含む複数枚の前記撮影画像の中から選択された前記落書き対象
　前記受付手段は、前記複数の表示画面としての前記第１の表示画面と前記第２の表示画面のそれぞれに対応するように、前記第１の表示画面に表示された１枚の前記第１の落書き対象画像の上に入力された落書き入力を受け付ける第１の受付手段と、前記第２の表示画面に表示された１枚の前記第２の落書き対象画像の上に入力された落書き入力を受け付ける第２の受付手段とが設けられ
、
　前記落書き入力を指示する表示は、前記複数の表示画面のうちの前記第１の表示画面と前記第２の表示画面のそれぞれに表示され、
　複数個設けられている前記受付手段としての前記第１の受付手段と前記第２の受付手段は、前記落書き入力を指示する表示に基づく前記落書き入力をそれぞれ受け付け、
　前記第１の表示画面が表示する前記第１の落書き対象画像は、前記第１の表示画面が前記第１の落書き対象画像と同時に表示している、前記撮影手段により撮影
を行うことで得られた
を含む複数枚
前記撮影
中から、前記被写体により選択された、前記シートに印刷可能な枚数の
前記
　前記第２の表示画面が表示する前記第２の落書き対象画像は、前記第２の表示画面が前記第２の落書き対象画像と同時に表示している、前記撮影手段により撮影
を行うことで得られた
を含む複数枚
前記撮影
中から、前記被写体により選択された、前記シートに印刷可能な枚数の
前記
　ことを特徴とする画像印刷装置。」と訂正する。
　ａ−３．特許請求の範囲の請求項３に、「【請求項３】　前記複数の表示画面のうちの前記第１の表示画面に表示される前記第１の落書き対象画像を記憶する第１の記憶手段と、
　前記複数の表示画面のうちの前記第２の表示画面に表示される前記第２の落書き対象画像を記憶する第２の記憶手段と
　をさらに備えることを特徴とする請求項１または２に記載の画像印刷装置。」とあるのを、
　「【請求項
２
　前記複数の表示画面のうちの前記第２の表示画面に表示される前記第２の落書き対象画像を記憶する第２の記憶手段と
　をさらに備えることを特徴とする請求項
１
　ａ−４．特許請求の範囲の請求項４に、「【請求項４】　前記印刷手段は、前記第１または第２の記憶手段により記憶された画像を前記シートに印刷する
　ことを特徴とする請求項３に記載の画像印刷装置。」とあるのを、
　「【請求項
３
　ことを特徴とする請求項
２
　ａ−５．特許請求の範囲の請求項５に、「【請求項５】　前記複数の表示画面のうちの前記第１の表示画面の表示に対応する音を発生する第１の音発生手段と、
　前記複数の表示画面のうちの前記第２の表示画面の表示に対応する音を発生する第２の音発生手段と
　をさらに備え、
　前記第１の音発生手段と前記第２の音発生手段は、それぞれ異なった音を発生する
　ことを特徴とする請求項１乃至４のいずれかに記載の画像印刷装置。」とあるのを、
　「【請求項
４
　前記複数の表示画面のうちの前記第２の表示画面の表示に対応する音を発生する第２の音発生手段と
　をさらに備え、
　前記第１の音発生手段と前記第２の音発生手段は、それぞれ異なった音を発生する
　ことを特徴とする請求項１乃至
３
　ａ−６．特許請求の範囲の請求項６に、「【請求項６】　前記撮影手段が撮影した前記被写体の画像を、前記撮影手段の近傍に表示する第２の表示手段をさらに備える、
　ことを特徴とする請求項１乃至５のいずれかに記載の画像印刷装置。」とあるのを、
　「【請求項
５
　ことを特徴とする請求項１乃至
４
　ａ−７．特許請求の範囲の請求項７に、「【請求項７】　前記撮影手段が撮影可能な範囲であって、前記画像印刷装置とほぼ同一の幅の２段の階段をさらに含む
　ことを特徴とする請求項１乃至６のいずれかに記載の画像印刷装置。」とあるのを、
　「【請求項
６
　ことを特徴とする請求項１乃至
５
　ａ−８．特許請求の範囲の請求項８に、「【請求項８】　被写体をカメラにより撮影する撮影ステップと、
　前記撮影ステップの処理により撮影された前記被写体の画像であって、落書き対象画像を表示画面に表示する表示ステップと、
　前記表示ステップの処理により前記表示画面に表示された前記落書き対象画像に対して入力された落書き入力を受け付ける受付ステップと、
　前記受付ステップの処理により受け付けられた前記落書き入力に基づいて前記落書き対象画像を落書きする落書きステップと、
　前記落書きステップの処理により落書きされた前記落書き対象画像をシートに印刷する印刷ステップと
　を含み、
　前記表示ステップの処理による表示を、第１の表示画面と、前記第１の表示画面と並置されている第２の表示画面とからなる複数の表示画面に表示させ、前記第１の表示画面には、前記カメラにより撮影された前記被写体の画像であって、前記落書き対象画像のうちの第１の落書き対象画像を１枚の画像として表示させ、前記第２の表示画面には、前記第１の表示画面が、前記第１の落書き対象画像を表示している状態において、前記第１の表示画面に表示されている前記第１の落書き対象画像を撮影した前記カメラと同一の前記カメラにより撮影された前記被写体の画像であって、前記落書き対象画像のうちの、前記第１の落書き対象画像とは異なる第２の落書き対象画像を１枚の画像として表示させ、
　前記受付ステップの処理による受け付けを、前記複数の表示画面としての前記第１の表示画面と前記第２の表示画面のうちの、前記第１の表示画面に表示された１枚の前記第１の落書き対象画像の上に入力された落書き入力を受け付けるとともに、前記第２の表示画面に表示された１枚の前記第２の落書き対象画像の上に入力された落書き入力を受け付けるように、前記第１の表示画面と前記第２の表示画面のそれぞれに対応して実行する
　ことを特徴とする画像印刷方法。」とあるのを、
　「【請求項
７
予め定められた時間内に１つの筐体の前面に位置する複数の
１つの
処理を複数回行う
　前記撮影ステップの処理により撮影
を複数回行なうことで得られた複数の
を含む複数枚
撮影
落書き対象画像を選択するための前記撮影画像、並びに、複数枚の前記撮影画像の中から、最大、シートに印刷可能な画像の種類の枚数だけ選択された前記落書き対象画像の一覧を表示手段の表示画面に表示するとともに、前記落書き対象画像の一覧からさらに選択された前記
前記表示手段の前記
　
前記表示手段に積層された受付手段により、
前記表示手段の
前記落書き対象画像の一覧からの前記落書き対象画像の選択を受け付けるとともに、選択された
　前記受付ステップの処理により受け付けられた前記落書き入力に基づいて
、前記落書き対象画像の一覧から選択された
　前記落書きステップの処理により落書きされた
、選択された枚数の
前記
　を含み、
　前記表示ステップの処理による表示を、第１の表示画面と、前記第１の表示画面と並置されている第２の表示画面とからなる複数の表示画面に表示させ、前記第１の表示画面には、前記カメラにより撮影された
複数の
を含む複数枚の前記撮影画像の中から選択された前記落書き対象
複数の
を含む複数枚の前記撮影画像の中から選択された前記落書き対象
　前記受付ステップの処理による受け付けを、前記複数の表示画面としての前記第１の表示画面と前記第２の表示画面のうちの、前記第１の表示画面に表示された１枚の前記第１の落書き対象画像の上に入力された落書き入力を受け付けるとともに、前記第２の表示画面に表示された１枚の前記第２の落書き対象画像の上に入力された落書き入力を受け付けるように、前記第１の表示画面と前記第２の表示画面のそれぞれに対応して実行
し、
　
前記落書き入力を指示する表示は、前記複数の表示画面のうちの前記第１の表示画面と前記第２の表示画面のそれぞれに表示され、
　
複数個設けられている前記受付手段としての第１の受付手段と第２の受付手段は、前記落書き入力を指示する表示に基づく前記落書き入力をそれぞれ受け付け、
　
前記第１の表示画面が表示する前記第１の落書き対象画像は、前記第１の表示画面が前記第１の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　
前記第２の表示画面が表示する前記第２の落書き対象画像は、前記第２の表示画面が前記第２の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とする画像印刷方法。」と訂正する。
　ａ−９．特許請求の範囲の請求項９に、「【請求項９】　被写体をカメラにより撮影する撮影ステップと、
　前記撮影ステップの処理により撮影された前記被写体の画像であって、落書き対象画像を表示画面に表示する表示ステップと、
　前記表示ステップの処理により前記表示画面に表示された前記落書き対象画像に対して入力された落書き入力を受け付ける受付ステップと、
　前記受付ステップの処理により受け付けられた前記落書き入力に基づいて前記落書き対象画像を落書きする落書きステップと、
　前記落書きステップの処理により落書きされた前記落書き対象画像をシートに印刷する印刷ステップと
　を含み、
　前記表示ステップの処理による表示を、第１の表示画面と、前記第１の表示画面と並置されている第２の表示画面とからなる複数の表示画面に表示させ、前記第１の表示画面には、前記カメラにより撮影された前記被写体の画像であって、前記落書き対象画像のうちの第１の落書き対象画像を１枚の画像として表示させ、前記第２の表示画面には、前記第１の表示画面が、前記第１の落書き対象画像を表示している状態において、前記第１の表示画面に表示されている前記第１の落書き対象画像を撮影した前記カメラと同一の前記カメラにより撮影された前記被写体の画像であって、前記落書き対象画像のうちの、前記第１の落書き対象画像とは異なる第２の落書き対象画像を１枚の画像として表示させ、
　前記受付ステップの処理による受け付けを、前記複数の表示画面としての前記第１の表示画面と前記第２の表示画面のうちの、前記第１の表示画面に表示された１枚の前記第１の落書き対象画像の上に入力された落書き入力を受け付けるとともに、前記第２の表示画面に表示された１枚の前記第２の落書き対象画像の上に入力された落書き入力を受け付けるように、前記第１の表示画面と前記第２の表示画面のそれぞれに対応して実行する
　ことを特徴とする画像印刷方法により生成される印刷媒体。」とあるのを、
　「【請求項
８
予め定められた時間内に１つの筐体の前面に位置する複数の
１つの
処理を複数回行う
　前記撮影ステップの処理により撮影
を複数回行なうことで得られた複数の
を含む複数枚
撮影
落書き対象画像を選択するための前記撮影画像、並びに、複数枚の前記撮影画像の中から、最大、シートに印刷可能な画像の種類の枚数だけ選択された前記落書き対象画像の一覧を表示手段の表示画面に表示するとともに、前記落書き対象画像の一覧からさらに選択された前記
前記表示手段の前記
　
前記表示手段に積層された受付手段により、
前記表示手段の
前記落書き対象画像の一覧からの前記落書き対象画像の選択を受け付けるとともに、選択された
　前記受付ステップの処理により受け付けられた前記落書き入力に基づいて
、前記落書き対象画像の一覧から選択された
　前記落書きステップの処理により落書きされた
、選択された枚数の
前記
　を含み、
　前記表示ステップの処理による表示を、第１の表示画面と、前記第１の表示画面と並置されている第２の表示画面とからなる複数の表示画面に表示させ、前記第１の表示画面には、前記カメラにより撮影された
複数の
を含む複数枚の前記撮影画像の中から選択された前記落書き対象
複数の
を含む複数枚の前記撮影画像の中から選択された前記落書き対象
　前記受付ステップの処理による受け付けを、前記複数の表示画面としての前記第１の表示画面と前記第２の表示画面のうちの、前記第１の表示画面に表示された１枚の前記第１の落書き対象画像の上に入力された落書き入力を受け付けるとともに、前記第２の表示画面に表示された１枚の前記第２の落書き対象画像の上に入力された落書き入力を受け付けるように、前記第１の表示画面と前記第２の表示画面のそれぞれに対応して実行
し、
　
前記落書き入力を指示する表示は、前記複数の表示画面のうちの前記第１の表示画面と前記第２の表示画面のそれぞれに表示され、
　
複数個設けられている前記受付手段としての第１の受付手段と第２の受付手段は、前記落書き入力を指示する表示に基づく前記落書き入力をそれぞれ受け付け、
　
前記第１の表示画面が表示する前記第１の落書き対象画像は、前記第１の表示画面が前記第１の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　
前記第２の表示画面が表示する前記第２の落書き対象画像は、前記第２の表示画面が前記第２の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とする画像印刷方法により生成される印刷媒体。」と訂正する。
　ａ−１０．特許請求の範囲の請求項１０に、「【請求項１０】　被写体のカメラによる撮影を制御する撮影制御ステップと、
　前記撮影制御ステップの処理により撮影が制御された前記被写体の画像であって、落書き対象画像の表示画面への表示を制御する表示制御ステップと、
　前記表示制御ステップの処理により表示が制御された前記落書き対象画像に対して入力された落書き入力を受け付ける受付ステップと、
　前記受付ステップの処理により受け付けられた前記落書き入力に基づいて前記落書き対象画像を落書きする落書きステップと、
　前記落書きステップの処理により落書きされた前記落書き対象画像のシートへの印刷を制御する印刷制御ステップと
　を含み、
　前記表示制御ステップの処理では、前記被写体の前記落書き対象画像の、複数の表示画面としての第１の表示画面と、前記第１の表示画面と並置されている第２の表示画面への表示が、前記第１の表示画面は、前記カメラにより撮影された前記被写体の画像であって、前記落書き対象画像のうちの第１の落書き対象画像を１枚の画像として表示し、前記第２の表示画面は、前記第１の表示画面が、前記第１の落書き対象画像を表示している状態において、前記第１の表示画面に表示されている前記第１の落書き対象画像を撮影した前記カメラと同一の前記カメラにより撮影された前記被写体の画像であって、前記落書き対象画像のうちの、前記第１の落書き対象画像とは異なる第２の落書き対象画像を１枚の画像として表示するように制御され、
　前記受付ステップの処理による受け付けを、前記複数の表示画面としての前記第１の表示画面と前記第２の表示画面のうちの、前記第１の表示画面に表示された１枚の前記第１の落書き対象画像の上に入力された落書き入力を受け付けるとともに、前記第２の表示画面に表示された１枚の前記第２の落書き対象画像の上に入力された落書き入力を受け付けるように、前記第１の表示画面と前記第２の表示画面のそれぞれに対応して実行する
　ことを特徴とするコンピュータが読み取り可能なプログラムが記録されている記録媒体。」とあるのを、
　「【請求項
９
予め定められた時間内での１つの筐体の前面に位置する複数の
１つの
処理を複数回行う
　前記撮影制御ステップの処理により撮影
の
を複数回行なうことで得られた複数の
を含む複数枚
撮影
落書き対象画像を選択するための前記撮影画像、並びに、複数枚の前記撮影画像の中から、最大、シートに印刷可能な画像の種類の枚数だけ選択された前記落書き対象画像の一覧の表示手段の表示画面への表示を制御するとともに、前記落書き対象画像の一覧からさらに選択された前記
前記表示手段の前記
　
前記表示手段に積層された受付手段により、
前記落書き対象画像の一覧からの前記落書き対象画像の選択を受け付けるとともに、選択された
　前記受付ステップの処理により受け付けられた前記落書き入力に基づいて
、前記落書き対象画像の一覧から選択された
　前記落書きステップの処理により落書きされた
、選択された枚数の
前記
　を含み、
　前記表示制御ステップの処理では、前記被写体の前記落書き対象画像の、複数の表示画面としての第１の表示画面と、前記第１の表示画面と並置されている第２の表示画面への表示が、前記第１の表示画面は、前記カメラにより撮影された
複数の
を含む複数枚の前記撮影画像の中から選択された前記落書き対象
複数の
を含む複数枚の前記撮影画像の中から選択された前記落書き対象
　前記受付ステップの処理による受け付けを、前記複数の表示画面としての前記第１の表示画面と前記第２の表示画面のうちの、前記第１の表示画面に表示された１枚の前記第１の落書き対象画像の上に入力された落書き入力を受け付けるとともに、前記第２の表示画面に表示された１枚の前記第２の落書き対象画像の上に入力された落書き入力を受け付けるように、前記第１の表示画面と前記第２の表示画面のそれぞれに対応して実行
し、
　
前記落書き入力を指示する表示は、前記複数の表示画面のうちの前記第１の表示画面と前記第２の表示画面のそれぞれに表示され、
　
複数個設けられている前記受付手段としての第１の受付手段と第２の受付手段は、前記落書き入力を指示する表示に基づく前記落書き入力をそれぞれ受け付け、
　
前記第１の表示画面が表示する前記第１の落書き対象画像は、前記第１の表示画面が前記第１の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　
前記第２の表示画面が表示する前記第２の落書き対象画像は、前記第２の表示画面が前記第２の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とするコンピュータが読み取り可能なプログラムが記録されている記録媒体。」と訂正する。
　ａ−１１．特許請求の範囲の請求項１１に、「【請求項１１】　被写体を撮影する撮影手段と、
　前記撮影手段により撮影された前記被写体の画像であって落書き対象画像のうちの第１の落書き対象画像を、複数の表示画面としての第１の表示画面と、前記第１の表示画面と並置されている第２の表示画面のうちの前記第１の表示画面に、１枚の画像として表示し、前記第１の表示画面が、前記第１の落書き対象画像を表示している状態において、前記第１の表示画面に表示されている前記第１の落書き対象画像を撮影した前記撮影手段と同一の前記撮影手段により撮影された前記被写体の画像であって、前記落書き対象画像のうちの、前記第１の落書き対象画像とは異なる第２の落書き対象画像を、前記第２の表示画面に、１枚の画像として表示する表示手段と、
　前記表示手段により前記複数の表示画面としての前記第１の表示画面と前記第２の表示画面にそれぞれ表示された前記第１の落書き対象画像と前記第２の落書き対象画像に対して入力された落書き入力をそれぞれ受け付ける第１の受付手段と第２の受付手段よりなる受付手段と、
　前記第１の受付手段と前記第２の受付手段により受け付けられた前記落書き入力に基づいて、前記複数の表示画面としての前記第１の表示画面と前記第２の表示画面に表示された前記第１の落書き対象画像と前記第２の落書き対象画像に落書きする落書き手段と、
　前記落書き手段により落書きされた前記複数の表示画面としての前記第１の表示画面と前記第２の表示画面に表示された前記第１の落書き対象画像と前記第２の落書き対象画像を所定の印刷媒体としてのシートに印刷する印刷手段と、
　前記印刷手段により、前記複数の表示画面としての前記第１の表示画面と前記第２の表示画面に表示された前記第１の落書き対象画像と前記第２の落書き対象画像が印刷された前記印刷媒体としてのシートを排出する排出手段と
　を備えることを特徴とする印刷媒体作成装置。」とあるのを、
　「【請求項
１０
予め定められた時間内に１つの筐体の前面に位置する複数の
処理を複数回行う１つの
　前記撮影手段により撮影
を複数回行なうことで得られた複数の
を含む複数枚の撮影
落書き対象画像を選択するための前記撮影画像、並びに、複数枚の前記撮影画像の中から、最大、シートに印刷可能な画像の種類の枚数だけ選択された前記落書き対象画像の一覧を表示画面に表示するとともに、前記落書き対象画像の一覧からさらに選択された前記
前記
複数の
を含む複数枚の前記撮影画像の中から選択された前記落書き対象
前記落書き対象画像の一覧からさらに選択された
　
前記表示手段に積層され、前記表示手段の前記表示画面に表示された前記落書き対象画像の一覧からの前記落書き対象画像の選択を受け付けるとともに、
、前記落書き対象画像の一覧から選択された
　前記第１の受付手段と前記第２の受付手段により受け付けられた前記落書き入力に基づいて、前記複数の表示画面としての前記第１の表示画面と前記第２の表示画面に表示された
、前記落書き対象画像の一覧から選択された
　前記落書き手段により落書きされた前記複数の表示画面としての前記第１の表示画面と前記第２の表示画面に表示された前記第１の落書き対象画像と前記第２の落書き対象画像を所定の印刷媒体としての
前記
　前記印刷手段により、前記複数の表示画面としての前記第１の表示画面と前記第２の表示画面に表示された前記第１の落書き対象画像と前記第２の落書き対象画像が印刷された前記印刷媒体としてのシートを排出する排出手段と
　を備
え、
　
前記落書き入力を指示する表示は、前記複数の表示画面のうちの前記第１の表示画面と前記第２の表示画面のそれぞれに表示され、
　
複数個設けられている前記受付手段としての前記第１の受付手段と前記第２の受付手段は、前記落書き入力を指示する表示に基づく前記落書き入力をそれぞれ受け付け、
　
前記第１の表示画面が表示する前記第１の落書き対象画像は、前記第１の表示画面が前記第１の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　
前記第２の表示画面が表示する前記第２の落書き対象画像は、前記第２の表示画面が前記第２の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　
こと
　ａ−１２．特許請求の範囲の請求項１２に、「【請求項１２】　被写体をカメラにより撮影する撮影ステップと、
　前記撮影ステップの処理により撮影された前記被写体の画像であって落書き対象画像のうちの第１の落書き対象画像を、複数の表示画面としての第１の表示画面と、前記第１の表示画面と並置されている第２の表示画面のうちの前記第１の表示画面に、１枚の画像として表示し、前記第１の表示画面が、前記第１の落書き対象画像を表示している状態において、前記第１の表示画面に表示されている前記第１の落書き対象画像を撮影した前記カメラと同一の前記カメラにより撮影された前記被写体の画像であって、前記落書き対象画像のうちの、前記第１の落書き対象画像とは異なる第２の落書き対象画像を、前記第２の表示画面に、１枚の画像として表示する表示ステップと、
　前記表示ステップの処理により前記複数の表示画面としての前記第１の表示画面と前記第２の表示画面にそれぞれ表示された前記落書き対象画像としての前記第１の落書き対象画像と前記第２の落書き対象画像に対して入力された落書き入力を受け付ける受付ステップと、
　前記受付ステップの処理により受け付けられた前記落書き入力に基づいて、前記複数の表示画面としての前記第１の表示画面と前記第２の表示画面に表示された前記落書き対象画像としての前記第１の落書き対象画像と前記第２の落書き対象画像に落書きする落書きステップと、
　前記落書きステップの処理により落書きされた前記複数の表示画面としての前記第１の表示画面と前記第２の表示画面に表示された前記第１の落書き対象画像と前記第２の落書き対象画像を所定の印刷媒体としてのシートに印刷する印刷ステップと、
　前記印刷ステップの処理により、前記複数の表示画面としての前記第１の表示画面と前記第２の表示画面に表示された前記落書き対象画像としての前記第１の落書き対象画像と前記第２の落書き対象画像が印刷された前記印刷媒体としてのシートを排出する排出ステップと
　を含むことを特徴とする印刷媒体作成方法。」とあるのを、
　「【請求項
１１
予め定められた時間内に１つの筐体の前面に位置する複数の
１つの
処理を複数回行う
　前記撮影ステップの処理により撮影
を複数回行なうことで得られた複数の
を含む複数枚の撮影
、落書き対象画像を選択するための前記撮影画像、並びに、複数枚の前記撮影画像の中から、最大、シートに印刷可能な画像の種類の枚数だけ選択された前記落書き対象画像の一覧を表示手段の表示画面に表示するとともに、前記落書き対象画像の一覧からさらに選択された前記
前記
複数の
を含む複数枚の前記撮影画像の中から選択された前記落書き対象
前記落書き対象画像の一覧からさらに選択された
　
前記表示手段に積層された受付手段により、前記表示手段の前記表示画面に表示された前記落書き対象画像の一覧からの前記落書き対象画像の選択を受け付けるとともに、
、前記落書き対象画像の一覧から選択された
　前記受付ステップの処理により受け付けられた前記落書き入力に基づいて、前記複数の表示画面としての前記第１の表示画面と前記第２の表示画面に表示された
、前記落書き対象画像の一覧から選択された
　前記落書きステップの処理により落書きされた前記複数の表示画面としての前記第１の表示画面と前記第２の表示画面に表示された前記第１の落書き対象画像と前記第２の落書き対象画像を所定の印刷媒体としての
前記
　前記印刷ステップの処理により、前記複数の表示画面としての前記第１の表示画面と前記第２の表示画面に表示された前記落書き対象画像としての前記第１の落書き対象画像と前記第２の落書き対象画像が印刷された前記印刷媒体としてのシートを排出する排出ステップと
　を含
み、
　
前記落書き入力を指示する表示は、前記複数の表示画面のうちの前記第１の表示画面と前記第２の表示画面のそれぞれに表示され、
　
複数個設けられている前記受付手段としての第１の受付手段と第２の受付手段は、前記落書き入力を指示する表示に基づく前記落書き入力をそれぞれ受け付け、
　
前記第１の表示画面が表示する前記第１の落書き対象画像は、前記第１の表示画面が前記第１の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　
前記第２の表示画面が表示する前記第２の落書き対象画像は、前記第２の表示画面が前記第２の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　
こと
　ａ−１３．特許請求の範囲の請求項１３に、「【請求項１３】　被写体のカメラによる撮影を制御する撮影制御ステップと、
　前記撮影制御ステップの処理により撮影が制御された前記被写体の画像であって落書き対象画像の複数の表示画面としての第１の表示画面と、前記第１の表示画面と並置されている第２の表示画面に対する表示を、前記第１の表示画面は、前記カメラにより撮影された前記被写体の画像であって、前記落書き対象画像のうちの第１の落書き対象画像を１枚の画像として表示し、前記第２の表示画面は、前記第１の表示画面が、前記第１の落書き対象画像を表示している状態において、前記第１の表示画面に表示されている前記第１の落書き対象画像を撮影した前記カメラと同一の前記カメラにより撮影された前記被写体の画像であって、前記落書き対象画像のうちの、前記第１の落書き対象画像とは異なる第２の落書き対象画像を１枚の画像として表示するように制御する表示制御ステップと、
　前記表示制御ステップの処理により前記複数の表示画面としての前記第１の表示画面と前記第２の表示画面にそれぞれ表示が制御された前記落書き対象画像としての前記第１の落書き対象画像と前記第２の落書き対象画像に対して入力された落書き入力を受け付ける受付ステップと、
　前記受付ステップの処理により受け付けられた前記落書き入力に基づいて、前記複数の表示画面としての前記第１の表示画面と前記第２の表示画面にそれぞれ表示された前記落書き対象画像としての前記第１の落書き対象画像と前記第２の落書き対象画像を落書きする落書きステップと、
　前記落書きステップの処理により落書きされた前記複数の表示画面としての前記第１の表示画面と前記第２の表示画面に表示された前記落書き対象画像としての前記第１の落書き対象画像と前記第２の落書き対象画像の所定の印刷媒体としてのシートに対する印刷を制御する印刷制御ステップと、
　前記印刷制御ステップの処理により、前記複数の表示画面としての前記第１の表示画面と前記第２の表示画面に表示された前記落書き対象画像としての前記第１の落書き対象画像と前記第２の落書き対象画像の印刷が制御された前記印刷媒体としてのシートの排出を制御する排出制御ステップと
　を含むことを特徴とするコンピュータが読み取り可能なプログラムが記録されている記録媒体。」とあるのを、
　「【請求項
１２
予め定められた時間内での１つの筐体の前面に位置する複数の
１つの
処理を複数回行う
　前記撮影制御ステップの処理により撮影
の
を複数回行なうことで得られた複数の
を含む複数枚の撮影
、落書き対象画像を選択するための前記撮影画像、並びに、複数枚の前記撮影画像の中から、最大、シートに印刷可能な画像の種類の枚数だけ選択された前記落書き対象画像の一覧の表示手段の表示画面への表示を制御するとともに、前記落書き対象画像の一覧からさらに選択された前記
前記
複数の
を含む複数枚の前記撮影画像の中から選択された前記落書き対象
複数の
を含む複数枚の前記撮影画像の中から選択された前記落書き対象
前記落書き対象画像の一覧から選択された
　
前記表示手段に積層された受付手段により、前記表示手段の前記表示画面に表示された前記落書き対象画像の一覧からの前記落書き対象画像の選択を受け付けるとともに、
、前記落書き対象画像の一覧から選択された
　前記受付ステップの処理により受け付けられた前記落書き入力に基づいて、前記複数の表示画面としての前記第１の表示画面と前記第２の表示画面にそれぞれ表示された
、前記落書き対象画像の一覧から選択された
　前記落書きステップの処理により落書きされた前記複数の表示画面としての前記第１の表示画面と前記第２の表示画面に表示された前記落書き対象画像としての前記第１の落書き対象画像と前記第２の落書き対象画像の所定の印刷媒体としての
前記
　前記印刷制御ステップの処理により、前記複数の表示画面としての前記第１の表示画面と前記第２の表示画面に表示された前記落書き対象画像としての前記第１の落書き対象画像と前記第２の落書き対象画像の印刷が制御された前記印刷媒体としてのシートの排出を制御する排出制御ステップと
　を含
み、
　
前記落書き入力を指示する表示は、前記複数の表示画面のうちの前記第１の表示画面と前記第２の表示画面のそれぞれに表示され、
　
複数個設けられている前記受付手段としての第１の受付手段と第２の受付手段は、前記落書き入力を指示する表示に基づく前記落書き入力をそれぞれ受け付け、
　
前記第１の表示画面が表示する前記第１の落書き対象画像は、前記第１の表示画面が前記第１の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　
前記第２の表示画面が表示する前記第２の落書き対象画像は、前記第２の表示画面が前記第２の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　
こと
　ａ−１４．特許請求の範囲の請求項１４に、「【請求項１４】　被写体を撮影する撮影手段と、
　前記撮影手段により撮影された前記被写体の画像であって落書き対象画像を表示する表示手段と、
　前記表示手段により表示された前記落書き対象画像に対して入力された落書き入力を受け付ける受付手段と、
　前記受付手段により受け付けられた前記落書き入力に基づいて前記落書き対象画像に落書きする落書き手段と、
　前記落書き手段により落書きされた前記落書き対象画像をシートに印刷する印刷手段とを備え、
　前記表示手段の表示画面は、第１の表示画面と、前記第１の表示画面と並置されている第２の表示画面とからなる複数の表示画面から構成され、前記第１の表示画面は、前記撮影手段により撮影された前記被写体の画像であって、前記落書き対象画像のうちの第１の落書き対象画像を表示し、前記第２の表示画面は、前記第１の表示画面が、前記第１の落書き対象画像を表示している状態において、前記第１の表示画面に表示されている前記第１の落書き対象画像を撮影した前記撮影手段と同一の前記撮影手段により撮影された前記被写体の画像であって、前記落書き対象画像のうちの第２の落書き対象画像を表示し、
　前記受付手段は、前記複数の表示画面としての前記第１の表示画面と前記第２の表示画面のそれぞれに対応するように、前記第１の表示画面に表示された前記第１の落書き対象画像の上に入力された落書き入力を受け付ける第１の受付手段と、前記第２の表示画面に表示された前記第２の落書き対象画像の上に入力された落書き入力を受け付ける第２の受付手段とが設けられており、
　前記複数の表示画面のうち、前記第１の表示画面に表示された前記第１の落書き対象画像と、前記第２の表示画面に表示された前記第２の落書き対象画像が同一であり、かつ、前記受付手段としての前記第１の受付手段と前記第２の受付手段が、前記第１の落書き対象画像と前記第２の落書き対象画像の同一位置に、同時に前記落書き入力を受け付けた場合、前記落書き手段は、利用者としての前記被写体が意図していない図形を落書きする
　ことを特徴とする画像印刷装置。」とあるのを、
　「【請求項
１３
　前記撮影手段により撮影された前記被写体の画像であって落書き対象画像を表示する表示手段と、
　前記表示手段により表示された前記落書き対象画像に対して入力された落書き入力を受け付ける受付手段と、
　前記受付手段により受け付けられた前記落書き入力に基づいて前記落書き対象画像に落書きする落書き手段と、
　前記落書き手段により落書きされた前記落書き対象画像をシートに印刷する印刷手段とを備え、
　前記表示手段の表示画面は、第１の表示画面と、前記第１の表示画面と並置されている第２の表示画面とからなる複数の表示画面から構成され、前記第１の表示画面は、前記撮影手段により撮影された前記被写体の画像であって、前記落書き対象画像のうちの第１の落書き対象画像を表示し、前記第２の表示画面は、前記第１の表示画面が、前記第１の落書き対象画像を表示している状態において、前記第１の表示画面に表示されている前記第１の落書き対象画像を撮影した前記撮影手段と同一の前記撮影手段により撮影された前記被写体の画像であって、前記落書き対象画像のうちの第２の落書き対象画像を表示し、
　前記受付手段は、前記複数の表示画面としての前記第１の表示画面と前記第２の表示画面のそれぞれに対応するように、前記第１の表示画面に表示された前記第１の落書き対象画像の上に入力された落書き入力を受け付ける第１の受付手段と、前記第２の表示画面に表示された前記第２の落書き対象画像の上に入力された落書き入力を受け付ける第２の受付手段とが設けられており、
　前記複数の表示画面のうち、前記第１の表示画面に表示された前記第１の落書き対象画像と、前記第２の表示画面に表示された前記第２の落書き対象画像が同一であり、かつ、前記受付手段としての前記第１の受付手段と前記第２の受付手段が、前記第１の落書き対象画像と前記第２の落書き対象画像の同一位置に、同時に前記落書き入力を受け付けた場合、前記落書き手段は、利用者としての前記被写体が意図していない図形を落書きする
　ことを特徴とする画像印刷装置。」と訂正する。
　ａ−１５．特許請求の範囲の請求項１５に、「【請求項１５】　被写体を撮影する撮影手段と、
　前記撮影手段により撮影された前記被写体の画像であって落書き対象画像を表示する表示手段と、
　前記表示手段により表示された前記落書き対象画像に対して入力された落書き入力を受け付ける受付手段と、
　前記受付手段により受け付けられた前記落書き入力に基づいて前記落書き対象画像に落書きする落書き手段と、
　前記落書き手段により落書きされた前記落書き対象画像をシートに印刷する印刷手段とを備え、
　前記表示手段の表示画面は、第１の表示画面と、前記第１の表示画面と並置されている第２の表示画面とからなる複数の表示画面から構成され、前記第１の表示画面は、前記撮影手段により撮影された前記被写体の画像であって、前記落書き対象画像のうちの第１の落書き対象画像を表示し、前記第２の表示画面は、前記第１の表示画面が、前記第１の落書き対象画像を表示している状態において、前記第１の表示画面に表示されている前記第１の落書き対象画像を撮影した前記撮影手段と同一の前記撮影手段により撮影された前記被写体の画像であって、前記落書き対象画像のうちの第２の落書き対象画像を表示し、
　前記受付手段は、前記複数の表示画面としての前記第１の表示画面と前記第２の表示画面のそれぞれに対応するように、前記第１の表示画面に表示された前記第１の落書き対象画像の上に入力された落書き入力を受け付ける第１の受付手段と、前記第２の表示画面に表示された前記第２の落書き対象画像の上に入力された落書き入力を受け付ける第２の受付手段とが設けられており、
　前記複数の表示画面のうち、前記第１の表示画面に表示された前記第１の落書き対象画像と、前記第２の表示画面に表示された前記第２の落書き対象画像が同一であり、かつ、前記受付手段としての前記第１の受付手段と前記第２の受付手段のうちの一方が、他方から落書き入力を既に受けている位置に対応する位置に前記落書き入力を受け付けた場合、前記落書き手段は、利用者としての前記被写体が意図していない図形を落書きする
　ことを特徴とする画像印刷装置。」とあるのを、
　「【請求項
１４
　前記撮影手段により撮影された前記被写体の画像であって落書き対象画像を表示する表示手段と、
　前記表示手段により表示された前記落書き対象画像に対して入力された落書き入力を受け付ける受付手段と、
　前記受付手段により受け付けられた前記落書き入力に基づいて前記落書き対象画像に落書きする落書き手段と、
　前記落書き手段により落書きされた前記落書き対象画像をシートに印刷する印刷手段とを備え、
　前記表示手段の表示画面は、第１の表示画面と、前記第１の表示画面と並置されている第２の表示画面とからなる複数の表示画面から構成され、前記第１の表示画面は、前記撮影手段により撮影された前記被写体の画像であって、前記落書き対象画像のうちの第１の落書き対象画像を表示し、前記第２の表示画面は、前記第１の表示画面が、前記第１の落書き対象画像を表示している状態において、前記第１の表示画面に表示されている前記第１の落書き対象画像を撮影した前記撮影手段と同一の前記撮影手段により撮影された前記被写体の画像であって、前記落書き対象画像のうちの第２の落書き対象画像を表示し、
　前記受付手段は、前記複数の表示画面としての前記第１の表示画面と前記第２の表示画面のそれぞれに対応するように、前記第１の表示画面に表示された前記第１の落書き対象画像の上に入力された落書き入力を受け付ける第１の受付手段と、前記第２の表示画面に表示された前記第２の落書き対象画像の上に入力された落書き入力を受け付ける第２の受付手段とが設けられており、
　前記複数の表示画面のうち、前記第１の表示画面に表示された前記第１の落書き対象画像と、前記第２の表示画面に表示された前記第２の落書き対象画像が同一であり、かつ、前記受付手段としての前記第１の受付手段と前記第２の受付手段のうちの一方が、他方から落書き入力を既に受けている位置に対応する位置に前記落書き入力を受け付けた場合、前記落書き手段は、利用者としての前記被写体が意図していない図形を落書きする
　ことを特徴とする画像印刷装置。」と訂正する。
　特許第３１９６８９７号の明細書中の特許請求の範囲の請求項１乃至１５において、もとの請求項１を削除し、その他の項数を繰り上げたので、訂正前後の請求項の関係は、以下の請求項対応表のようになる。
　ｂ．特許請求の範囲の記載と発明の詳細な説明の記載との整合をとるため、明りょうでない記載の釈明を目的として、明細書の番号７の段落に、
「【課題を解決するための手段】
　本発明の第１の画像印刷装置は、被写体を撮影する撮影手段と、撮影手段により撮影された被写体の画像であって、落書き対象画像を表示画面に表示する第１の表示手段と、第１の表示手段の表示画面に表示された落書き対象画像に対して入力された落書き入力を受け付ける受付手段と、受付手段により受け付けられた落書き入力に基づいて落書き対象画像に落書きする落書き手段と、落書き手段により落書きされた落書き対象画像をシートに印刷する印刷手段とを備え、第１の表示手段の表示画面は、第１の表示画面と、第１の表示画面と並置されている第２の表示画面とからなる複数の表示画面から構成され、第１の表示画面は、撮影手段により撮影された被写体の画像であって、落書き対象画像のうちの第１の落書き対象画像を１枚の画像として表示し、第２の表示画面は、第１の表示画面が、第１の落書き対象画像を表示している状態において、第１の表示画面に表示されている第１の落書き対象画像を撮影した撮影手段と同一の撮影手段により撮影された被写体の画像であって、落書き対象画像のうちの、第１の落書き対象画像とは異なる第２の落書き対象画像を１枚の画像として表示し、受付手段は、複数の表示画面としての第１の表示画面と第２の表示画面のそれぞれに対応するように、第１の表示画面に表示された１枚の第１の落書き対象画像の上に入力された落書き入力を受け付ける第１の受付手段と、第２の表示画面に表示された１枚の第２の落書き対象画像の上に入力された落書き入力を受け付ける第２の受付手段とが設けられていることを特徴とする。」とあるのを、
　「【課題を解決するための手段】
　本発明の第１の画像印刷装置は、
予め定められた時間内に１つの筐体の前面に位置する複数の
処理を複数回行う１つの
を複数回行なうことで得られた複数の
を含む複数枚
撮影
落書き対象画像を選択するための撮影画像、並びに、複数枚の撮影画像の中から、最大、シートに印刷可能な画像の種類の枚数だけ選択された落書き対象画像の一覧を表示画面に表示するとともに、落書き対象画像の一覧からさらに選択された
に積層され、第１の表示手段
落書き対象画像の一覧からの落書き対象画像の選択を受け付けるとともに、選択された
、落書き対象画像の一覧から選択された
、選択された枚数の
複数の
を含む複数枚の撮影画像の中から選択された落書き対象
複数の
を含む複数枚の撮影画像の中から選択された落書き対象
、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影手段により撮影を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が第２の落書き対象画像と同時に表示している、撮影手段により撮影を行うことで得られた被写体を含む複数枚の撮影画像の中から、被写体により選択された、シートに印刷可能な枚数の落書き対象画像の一覧の中から、第２の受付手段により選択が受け付けられた画像である
　ｃ．特許請求の範囲の記載と発明の詳細な説明の記載との整合をとるため、明りょうでない記載の釈明を目的として、明細書の番号９の段落に、「本発明の第１の画像印刷装置においては、被写体が撮影され、撮影された被写体の画像であって、落書き対象画像が表示画面に表示され、表示画面に表示された落書き対象画像に対して入力された落書き入力が受け付けられる。また、受け付けられた落書き入力に基づいて落書き対象画像に落書きされ、落書きされた落書き対象画像がシートに印刷される。そして、撮影された画像であって、落書き対象画像のうち第１の落書き対象画像は、第１の表示画面と、第１の表示画面と並置されている第２の表示画面とからなる表示画面のうち、第１の表示画面に１枚の画像として表示され、第１の表示画面に表示されている第１の落書き対象画像を撮影した撮影手段と同一の撮影手段により撮影された被写体の画像であって、落書き対象画像のうちの、第１の落書き対象画像とは異なる第２の落書き対象画像は、第２の表示画面に１枚の画像として表示される。そして、第１の表示画面に表示されている第１の落書き対象画像に対する落書き入力、および第２の表示画面に表示されている第２の落書き対象画像に対する落書き入力がそれぞれ受け付けられる。」とあるのを、
　「本発明の第１の画像印刷装置においては、
予め定められた時間内に１つの筐体の前面に位置する複数の
を
する処理が複数回行われ
を複数回行なうことで得られた複数の
を含む複数枚
撮影
落書き対象画像を選択するための撮影画像、並びに、複数枚の撮影画像の中から、最大、シートに印刷可能な画像の種類の枚数だけ選択された落書き対象画像の一覧が表示画面に表示されるとともに、落書き対象画像の一覧からさらに選択された
落書き対象画像の一覧からの落書き対象画像の選択が受け付けられるとともに、選択された
、落書き対象画像の一覧から選択された
、選択された枚数の
撮影手段により撮影された複数の被写体を含む複数枚の撮影画像の中から選択された落書き対象画像であって、落書き対象画像のうちの第１の落書き対象画像が、第１の表示画面と、第１の表示画面と並置されている第２の表示画面とからなる複数の表示画面から構成された第１の表示手段の第１の表示画面に、１枚の画像として表示され、第１の表示画面に表示されている第１の落書き対象画像を撮影した撮影手段と同一の撮影手段により撮影された複数の被写体を含む複数枚の撮影画像の中から選択された落書き対象画像であって、落書き対象画像のうちの、第１の落書き対象画像とは異なる第２の落書き対象画像が、第１の表示画面が、第１の落書き対象画像を表示している状態において、第２の表示画面に１枚の画像として表示される。また、受付手段は、複数の表示画面としての第１の表示画面と第２の表示画面のそれぞれに対応するように、第１の表示画面に表示された１枚の第１の落書き対象画像の上に入力された落書き入力を受け付ける第１の受付手段と、第２の表示画面に表示された１枚の第２の落書き対象画像の上に入力された落書き入力を受け付ける第２の受付手段とが設けられる。また、落書き入力を指示する表示は、複数の表示画面のうちの第１の表示画面と第２の表示画面のそれぞれに表示され、落書き入力を指示する表示に基づく落書き入力が、複数個設けられている受付手段としての第１の受付手段と第２の受付手段によりそれぞれ受け付けられる。また、第１の表示画面が表示する第１の落書き対象画像は、第１の表示画面が第１の落書き対象画像と同時に表示している、撮影手段により撮影を行うことで得られた被写体を含む複数枚の撮影画象の中から、被写体により選択された、シートに印刷可能な枚数の落書き対象画像の一覧の中から、第１の受付手段により選択が受け付けられた画像とされ、第２の表示画面が表示する第２の落書き対象画像は、第２の表示画面が第２の落書き対象画像と同時に表示している、撮影手段により撮影を行うことで得られた被写体を含む複数枚の撮影画像の中から、被写体により選択された、シートに印刷可能な枚数の落書き対象画像の一覧の中から、第２の受付手段により選択が受け付けられた画像とされる。
　ｄ．特許請求の範囲の記載と発明の詳細な説明の記載との整合をとるため、明りょうでない記載の釈明を目的として、明細書の番号１５の段落を削除する。
　ｅ．特許請求の範囲の記載と発明の詳細な説明の記載との整合をとるため、明りょうでない記載の釈明を目的として、明細書の番号３０の段落に、「本発明の画像印刷装置の画像印刷方法は、被写体をカメラにより撮影する撮影ステップと、撮影ステップの処理により撮影された被写体の画像であって、落書き対象画像を表示画面に表示する表示ステップと、表示ステップの処理により表示画面に表示された落書き対象画像に対して入力された落書き入力を受け付ける受付ステップと、受付ステップの処理により受け付けられた落書き入力に基づいて落書き対象画像を落書きする落書きステップと、落書きステップの処理により落書きされた落書き対象画像をシートに印刷する印刷ステップとを含み、表示ステップの処理による表示を、第１の表示画面と、第１の表示画面と並置されている第２の表示画面とからなる複数の表示画面に表示させ、第１の表示には、カメラにより撮影された被写体の画像であって、落書き対象画像のうちの第１の落書き対象画像を１枚の画像として表示させ、第２の表示画面には、第１の表示画面が、第１の落書き対象画像を表示している状態において、第１の表示画面に表示されている第１の落書き対象画像を撮影したカメラと同一のカメラにより撮影された被写体の画像であって、落書き対象画像のうちの、第１の落書き対象画像とは異なる第２の落書き対象画像を１枚の画像として表示させ、受付ステップの処理による受け付けを、複数の表示画面としての第１の表示画面と第２の表示画面のうちの、第１の表示画面に表示された１枚の第１の落書き対象画像の上に入力された落書き入力を受け付けるとともに、第２の表示画面に表示された１枚の第２の落書き対象画像の上に入力された落書き入力を受け付けるように、第１の表示画面と第２の表示画面のそれぞれに対応して実行することを特徴とする。」とあるのを、
　「本発明の画像印刷装置の画像印刷方法は、
予め定められた時間内に１つの筐体の前面に位置する複数の
１つの
処理を複数回行う
を複数回行なうことで得られた複数の
を含む複数枚
撮影
落書き対象画像を選択するための撮影画像、並びに、複数枚の撮影画像の中から、最大、シートに印刷可能な画像の種類の枚数だけ選択された落書き対象画像の一覧を表示手段の表示画面に表示するとともに、落書き対象画像の一覧からさらに選択された
表示手段の
表示手段に積層された受付手段により、
表示手段の
落書き対象画像の一覧からの落書き対象画像の選択を受け付けるとともに、選択された
、落書き対象画像の一覧から選択された
、選択された枚数の
複数の
を含む複数枚の撮影画像の中から選択された落書き対象
複数の
を含む複数枚の撮影画像の中から選択された落書き対象
し、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影ステップの処理により撮影を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が第２の落書き対象画像と同時に表示している、撮影ステップの処理により撮影を行うことで得られた被写体を含む複数枚の撮影画像の中から、被写体により選択された、シートに印刷可能な枚数の落書き対象画像の前記一覧の中から、第２の受付手段により選択が受け付けられた画像である
　ｆ．特許請求の範囲の記載と発明の詳細な説明の記載との整合をとるため、明りょうでない記載の釈明を目的として、明細書の番号３１の段落に、「本発明の印刷媒体は、被写体をカメラにより撮影する撮影ステップと、撮影ステップの処理により撮影された被写体の画像であって、落書き対象画像を表示画面に表示する表示ステップと、表示ステップの処理により表示画面に表示された落書き対象画像に対して入力された落書き入力を受け付ける受付ステップと、受付ステップの処理により受け付けられた落書き入力に基づいて落書き対象画像を落書きする落書きステップと、落書きステップの処理により落書きされた落書き対象画像をシートに印刷する印刷ステップとを含み、表示ステップの処理による表示を、第１の表示画面と、第１の表示画面と並置されている第２の表示画面とからなる複数の表示画面に表示させ、第１の表示画面には、カメラにより撮影された被写体の画像であって、落書き対象画像のうちの第１の落書き対象画像を１枚の画像として表示させ、第２の表示画面には、第１の表示画面が、第１の落書き対象画像を表示している状態において、第１の表示画面に表示されている第１の落書き対象画像を撮影したカメラと同一のカメラにより撮影された被写体の画像であって、落書き対象画像のうちの、第１の落書き対象画像とは異なる第２の落書き対象画像を１枚の画像として表示させ、受付ステップの処理による受け付けを、複数の表示画面としての第１の表示画面と第２の表示画面のうちの、第１の表示画面に表示された１枚の第１の落書き対象画像の上に入力された落書き入力を受け付けるとともに、第２の表示画面に表示された１枚の第２の落書き対象画像の上に入力された落書き入力を受け付けるように、第１の表示画面と第２の表示画面のそれぞれに対応して実行することを特徴とする画像印刷方法により生成されることを特徴とする。」とあるのを、
　「本発明の印刷媒体は、
予め定められた時間内に１つの筐体の前面に位置する複数の
１つの
処理を複数回行う
を複数回行なうことで得られた複数の
を含む複数枚
撮影
落書き対象画像を選択するための撮影画像、並びに、複数枚の撮影画像の中から、最大、シートに印刷可能な画像の種類の枚数だけ選択された落書き対象画像の一覧を表示手段の表示画面に表示するとともに、落書き対象画像の一覧からさらに選択された
表示手段の
表示手段に積層された受付手段により、
表示手段の
落書き対象画像の一覧からの落書き対象画像の選択を受け付けるとともに、選択された
、落書き対象画像の一覧から選択された
、選択された枚数の
複数の
を含む複数枚の撮影画像の中から選択された落書き対象
複数の
を含む複数枚の撮影画像の中から選択された落書き対象
し、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影ステップの処理により撮影を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が第２の落書き対象画像と同時に表示している、撮影ステップの処理により撮影を行うことで得られた被写体を含む複数枚の撮影画像の中から、被写体により選択された、シートに印刷可能な枚数の落書き対象画像の一覧の中から、第２の受付手段により選択が受け付けられた画像である
　ｇ．特許請求の範囲の記載と発明の詳細な説明の記載との整合をとるため、明りょうでない記載の釈明を目的として、明細書の番号３２の段落に、「本発明の第１の記録媒体のプログラムは、被写体のカメラによる撮影を制御する撮影制御ステップと、撮影制御ステップの処理により撮影が制御された被写体の画像であって、落書き対象画像の表示画面への表示を制御する表示制御ステップと、表示制御ステップの処理により表示が制御された落書き対象画像に対して入力された落書き入力を受け付ける受付ステップと、受付ステップの処理により受け付けられた落書き入力に基づいて落書き対象画像を落書きする落書きステップと、落書きステップの処理により落書きされた落書き対象画像のシートへの印刷を制御する印刷制御ステップとを含み、表示制御ステップの処理では、被写体の落書き対象画像の、複数の表示画面としての第１の表示画面と、第１の表示画面と並置されている第２の表示画面への表示が、第１の表示画面は、カメラにより撮影された被写体の画像であって、落書き対象画像のうちの第１の落書き対象画像を１枚の画像として表示し、第２の表示画面は、第１の表示画面が、第１の落書き対象画像を表示している状態において、第１の表示画面に表示されている第１の落書き対象画像を撮影したカメラと同一のカメラにより撮影された被写体の画像であって、落書き対象画像のうちの、第１の落書き対象画像とは異なる第２の落書き対象画像を１枚の画像として表示するように制御され、受付ステップの処理による受け付けを、複数の表示画面としての第１の表示画面と第２の表示画面のうちの、第１の表示画面に表示された１枚の第１の落書き対象画像の上に入力された落書き入力を受け付けるとともに、第２の表示画面に表示された１枚の第２の落書き対象画像の上に入力された落書き入力を受け付けるように、第１の表示画面と第２の表示画面のそれぞれに対応して実行することを特徴とする。」とあるのを、
　「本発明の第１の記録媒体のプログラムは、
予め定められた時間内での１つの筐体の前面に位置する複数の
１つの
処理を複数回行う
の
を複数回行なうことで得られた複数の
を含む複数枚
撮影
落書き対象画像を選択するための撮影画像、並びに、複数枚の撮影画像の中から、最大、シートに印刷可能な画像の種類の枚数だけ選択された落書き対象画像の一覧の表示手段の表示画面への表示を制御するとともに、落書き対象画像の一覧からさらに選択された
表示手段の
表示手段に積層された受付手段により、
落書き対象画像の一覧からの落書き対象画像の選択を受け付けるとともに、選択された
、落書き対象画像の一覧から選択された
、選択された枚数の
複数の
を含む複数枚の撮影画像の中から選択された落書き対象
複数の
を含む複数枚の撮影画像の中から選択された落書き対象
し、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影制御ステップの処理により撮影の制御を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が前記第２の落書き対象画像と同時に表示している、撮影制御ステップの処理により撮影の制御を行うことで得られた被写体を含む複数枚の撮影画像の中から、被写体により選択された、シートに印刷可能な枚数の落書き対象画像の一覧の中から、第２の受付手段により選択が受け付けられた画像である
　ｈ．特許請求の範囲の記載と発明の詳細な説明の記載との整合をとるため、明りょうでない記載の釈明を目的として、明細書の番号３３の段落に、「本発明の印刷媒体作成装置は、被写体を撮影する撮影手段と、撮影手段により撮影された被写体の画像であって落書き対象画像のうちの第１の落書き対象画像を、複数の表示画面としての第１の表示画面と、第１の表示画面と並置されている第２の表示画面のうちの第１の表示画面に、１枚の画像として表示し、第１の表示画面が、第１の落書き対象画像を表示している状態において、第１の表示画面に表示されている第１の落書き対象画像を撮影した撮影手段と同一の撮影手段により撮影された被写体の画像であって、落書き対象画像のうちの、第１の落書き対象画像とは異なる第２の落書き対象画像を、第２の表示画面に、１枚の画像として表示する表示手段と、表示手段により複数の表示画面としての第１の表示画面と第２の表示画面にそれぞれ表示された第１の落書き対象画像と第２の落書き対象画像に対して入力された落書き入力をそれぞれ受け付ける第１の受付手段と第２の受付手段よりなる受付手段と、第１の受付手段と第２の受付手段により受け付けられた落書き入力に基づいて、複数の表示画面としての第１の表示画面と第２の表示画面に表示された第１の落書き対象画像と第２の落書き対象画像に落書きする落書き手段と、落書き手段により落書きされた複数の表示画面としての第１の表示画面と第２の表示画面に表示された第１の落書き対象画像と第２の落書き対象画像を所定の印刷媒体としてのシートに印刷する印刷手段と、印刷手段により、複数の表示画面としての第１の表示画面と第２の表示画面に表示された第１の落書き対象画像と第２の落書き対象画像が印刷された前記印刷媒体としてのシートを排出する排出手段とを備えることを特徴とする。」とあるのを、
　「本発明の印刷媒体作成装置は、
予め定められた時間内に１つの筐体の前面に位置する複数の
処理を複数回行う１つの
を複数回行なうことで得られた複数の
を含む複数枚の撮影
落書き対象画像を選択するための撮影画像、並びに、複数枚の撮影画像の中から、最大、シートに印刷可能な画像の種類の枚数だけ選択された落書き対象画像の一覧を表示画面に表示するとともに、落書き対象画像の一覧からさらに選択された
複数の
を含む複数枚の撮影画像の中から選択された落書き対象
落書き対象画像の一覧からさらに選択された
表示手段に積層され、表示手段の表示画面に表示された落書き対象画像の一覧からの落書き対象画像の選択を受け付けるとともに、
、落書き対象画像の一覧から選択された
、落書き対象画像の一覧から選択された
え、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影手段により撮影を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が第２の落書き対象画像と同時に表示している、撮影手段により撮影を行うことで得られた被写体を含む複数枚の撮影画像の中から、被写体により選択された、シートに印刷可能な枚数の落書き対象画像の一覧の中から、第２の受付手段により選択が受け付けられた画像であること
　ｉ．特許請求の範囲の記載と発明の詳細な説明の記載との整合をとるため、明りょうでない記載の釈明を目的として、明細書の番号３４の段落に、「本発明の印刷媒体作成装置の印刷媒体作成方法は、被写体をカメラにより撮影する撮影ステップと、撮影ステップの処理により撮影された被写体の画像であって落書き対象画像のうちの第１の落書き対象画像を、複数の表示画面としての第１の表示画面と、第１の表示画面と並置されている第２の表示画面のうちの第１の表示画面に、１枚の画像として表示し、第１の表示画面が、第１の落書き対象画像を表示している状態において、第１の表示画面に表示されている第１の落書き対象画像を撮影したカメラと同一のカメラにより撮影された被写体の画像であって、落書き対象画像のうちの、第１の落書き対象画像とは異なる第２の落書き対象画像を、第２の表示画面に、１枚の画像として表示する表示ステップと、表示ステップの処理により複数の表示画面としての第１の表示画面と第２の表示画面にそれぞれ表示された落書き対象画像としての第１の落書き対象画像と第２の落書き対象画像に対して入力された落書き入力を受け付ける受付ステップと、受付ステップの処理により受け付けられた落書き入力に基づいて、複数の表示画面としての第１の表示画面と第２の表示画面に表示された落書き対象画像としての第１の落書き対象画像と第２の落書き対象画像に落書きする落書きステップと、落書きステップの処理により落書きされた複数の表示画面としての第１の表示画面と第２の表示画面に表示された第１の落書き対象画像と第２の落書き対象画像を所定の印刷媒体としてのシートに印刷する印刷ステップと、印刷ステップの処理により、複数の表示画面としての第１の表示画面と第２の表示画面に表示された落書き対象画像としての第１の落書き対象画像と第２の落書き対象画像が印刷された印刷媒体としてのシートを排出する排出ステップとを含むことを特徴とする。」とあるのを、
　「本発明の印刷媒体作成装置の印刷媒体作成方法は、
予め定められた時間内に１つの筐体の前面に位置する複数の
１つの
処理を複数回行う
を複数回行なうことで得られた複数の
を含む複数枚の撮影
、落書き対象画像を選択するための撮影画像、並びに、複数枚の撮影画像の中から、最大、シートに印刷可能な画像の種類の枚数だけ選択された落書き対象画像の一覧を表示手段の表示画面に表示するとともに、落書き対象画像の一覧からさらに選択された
複数の
を含む複数枚の撮影画像の中から選択された落書き対象
落書き対象画像の一覧からさらに選択された
表示手段に積層された受付手段により、表示手段の表示画面に表示された落書き対象画像の一覧からの落書き対象画像の選択を受け付けるとともに、
、落書き対象画像の一覧から選択された
、落書き対象画像の一覧から選択された
み、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影ステップの処理により撮影を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が第２の落書き対象画像と同時に表示している、撮影ステップの処理により撮影を行うことで得られた被写体を含む複数枚の撮影画像の中から、被写体により選択された、シートに印刷可能な枚数の落書き対象画像の一覧の中から、第２の受付手段により選択が受け付けられた画像であること
　ｊ．特許請求の範囲の記載と発明の詳細な説明の記載との整合をとるため、明りょうでない記載の釈明を目的として、明細書の番号３５の段落に、「本発明の第２の記録媒体のプログラムは、被写体のカメラによる撮影を制御する撮影制御ステップと、撮影制御ステップの処理により撮影が制御された被写体の画像であって落書き対象画像の複数の表示画面としての第１の表示画面と、第１の表示画面と並置されている第２の表示画面に対する表示を、第１の表示画面は、カメラにより撮影された前記被写体の画像であって、落書き対象画像のうちの第１の落書き対象画像を１枚の画像として表示し、第２の表示画面は、第１の表示画面が、第１の落書き対象画像を表示している状態において、第１の表示画面に表示されている第１の落書き対象画像を撮影したカメラと同一のカメラにより撮影された被写体の画像であって、落書き対象画像のうちの、第１の落書き対象画像とは異なる第２の落書き対象画像を１枚の画像として表示するように制御する表示制御ステップと、表示制御ステップの処理により複数の表示画面としての第１の表示画面と第２の表示画面にそれぞれ表示が制御された落書き対象画像としての第１の落書き対象画像と第２の落書き対象画像に対して入力された落書き入力を受け付ける受付ステップと、受付ステップの処理により受け付けられた落書き入力に基づいて、複数の表示画面としての第１の表示画面と第２の表示画面にそれぞれ表示された落書き対象画像としての第１の落書き対象画像と第２の落書き対象画像を落書きする落書きステップと、落書きステップの処理により落書きされた複数の表示画面としての第１の表示画面と第２の表示画面に表示された落書き対象画像としての第１の落書き対象画像と第２の落書き対象画像の所定の印刷媒体としてのシートに対する印刷を制御する印刷制御ステップと、印刷制御ステップの処理により、複数の表示画面としての第１の表示画面と第２の表示画面に表示された落書き対象画像としての第１の落書き対象画像と第２の落書き対象画像の印刷が制御された印刷媒体としてのシートの排出を制御する排出制御ステップとを含むことを特徴とする。
　本発明の第２の画像印刷装置は、被写体を撮影する撮影手段と、撮影手段により撮影された被写体の画像であって落書き対象画像を表示する表示手段と、表示手段により表示された落書き対象画像に対して入力された落書き入力を受け付ける受付手段と、受付手段により受け付けられた落書き入力に基づいて落書き対象画像に落書きする落書き手段と、落書き手段により落書きされた落書き対象画像をシートに印刷する印刷手段とを備え、表示手段の表示画面は、第１の表示画面と、第１の表示画面と並置されている第２の表示画面とからなる複数の表示画面から構成され、第１の表示画面は、撮影手段により撮影された被写体の画像であって、落書き対象画像のうちの第１の落書き対象画像を表示し、第２の表示画面は、第１の表示画面が、第１の落書き対象画像を表示している状態において、第１の表示画面に表示されている第１の落書き対象画像を撮影した撮影手段と同一の撮影手段により撮影された被写体の画像であって、落書き対象画像のうちの第２の落書き対象画像を表示し、受付手段は、複数の表示画面としての第１の表示画面と第２の表示画面のそれぞれに対応するように、第１の表示画面に表示された第１の落書き対象画像の上に入力された落書き入力を受け付ける第１の受付手段と、第２の表示画面に表示された第２の落書き対象画像の上に入力された落書き入力を受け付ける第２の受付手段とが設けられており、複数の表示画面のうち、第１の表示画面に表示された第１の落書き対象画像と、第２の表示画面に表示された第２の落書き対象画像が同一であり、かつ、受付手段としての第１の受付手段と第２の受付手段が、第１の落書き対象画像と第２の落書き対象画像の同一位置に、同時に落書き入力を受け付けた場合、落書き手段は、利用者としての被写体が意図していない図形を落書きすることを特徴とする。
　利用者としての被写体が意図していない図形は、例えば、星の図形とすることができる。
　本発明の第３の画像印刷装置は、被写体を撮影する撮影手段と、撮影手段により撮影された被写体の画像であって落書き対象画像を表示する表示手段と、表示手段により表示された落書き対象画像に対して入力された落書き入力を受け付ける受付手段と、受付手段により受け付けられた落書き入力に基づいて落書き対象画像に落書きする落書き手段と、落書き手段により落書きされた落書き対象画像をシートに印刷する印刷手段とを備え、表示手段の表示画面は、第１の表示画面と、第１の表示画面と並置されている第２の表示画面とからなる複数の表示画面から構成され、第１の表示画面は、撮影手段により撮影された被写体の画像であって、落書き対象画像のうちの第１の落書き対象画像を表示し、第２の表示画面は、第１の表示画面が、第１の落書き対象画像を表示している状態において、第１の表示画面に表示されている第１の落書き対象画像を撮影した撮影手段と同一の撮影手段により撮影された被写体の画像であって、落書き対象画像のうちの第２の落書き対象画像を表示し、受付手段は、複数の表示画面としての第１の表示画面と第２の表示画面のそれぞれに対応するように、第１の表示画面に表示された第１の落書き対象画像の上に入力された落書き入力を受け付ける第１の受付手段と、第２の表示画面に表示された第２の落書き対象画像の上に入力された落書き入力を受け付ける第２の受付手段とが設けられており、複数の表示画面のうち、第１の表示画面に表示された第１の落書き対象画像と、第２の表示画面に表示された第２の落書き対象画像が同一であり、かつ、受付手段としての第１の受付手段と第２の受付手段のうちの一方が、他方から落書き入力を既に受けている位置に対応する位置に落書き入力を受け付けた場合、落書き手段は、利用者としての被写体が意図していない図形を落書きすることを特徴とする。」とあるのを、
　「本発明の第２の記録媒体のプログラムは、
予め定められた時間内での１つの筐体の前面に位置する複数の
１つの
処理を複数回行う
の
を複数回行なうことで得られた複数の
を含む複数枚の撮影
、落書き対象画像を選択するための撮影画像、並びに、複数枚の撮影画像の中から、最大、シートに印刷可能な画像の種類の枚数だけ選択された落書き対象画像の一覧の表示手段の表示画面への表示を制御するとともに、落書き対象画像の一覧からさらに選択された
複数の
を含む複数枚の撮影画像の中から選択された落書き対象
複数の
を含む複数枚の撮影画像の中から選択された落書き対象
落書き対象画像の一覧から選択された
表示手段に積層された受付手段により、表示手段の表示画面に表示された落書き対象画像の一覧からの落書き対象画像の選択を受け付けるとともに、
、落書き対象画像の一覧から選択された
、落書き対象画像の一覧から選択された
み、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影制御ステップの処理により撮影の制御を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が第２の落書き対象画像と同時に表示している、撮影制御ステップの処理により撮影の制御を行うことで得られた被写体を含む複数枚の撮影画像の中から、被写体により選択された、シートに印刷可能な枚数の落書き対象画像の一覧の中から、第２の受付手段により選択が受け付けられた画像であること
　本発明の第２の画像印刷装置は、被写体を撮影する撮影手段と、撮影手段により撮影された被写体の画像であって落書き対象画像を表示する表示手段と、表示手段により表示された落書き対象画像に対して入力された落書き入力を受け付ける受付手段と、受付手段により受け付けられた落書き入力に基づいて落書き対象画像に落書きする落書き手段と、落書き手段により落書きされた落書き対象画像をシートに印刷する印刷手段とを備え、表示手段の表示画面は、第１の表示画面と、第１の表示画面と並置されている第２の表示画面とからなる複数の表示画面から構成され、第１の表示画面は、撮影手段により撮影された被写体の画像であって、落書き対象画像のうちの第１の落書き対象画像を表示し、第２の表示画面は、第１の表示画面が、第１の落書き対象画像を表示している状態において、第１の表示画面に表示されている第１の落書き対象画像を撮影した撮影手段と同一の撮影手段により撮影された被写体の画像であって、落書き対象画像のうちの第２の落書き対象画像を表示し、受付手段は、複数の表示画面としての第１の表示画面と第２の表示画面のそれぞれに対応するように、第１の表示画面に表示された第１の落書き対象画像の上に入力された落書き入力を受け付ける第１の受付手段と、第２の表示画面に表示された第２の落書き対象画像の上に入力された落書き入力を受け付ける第２の受付手段とが設けられており、複数の表示画面のうち、第１の表示画面に表示された第１の落書き対象画像と、第２の表示画面に表示された第２の落書き対象画像が同一であり、かつ、受付手段としての第１の受付手段と第２の受付手段が、第１の落書き対象画像と第２の落書き対象画像の同一位置に、同時に落書き入力を受け付けた場合、落書き手段は、利用者としての被写体が意図していない図形を落書きすることを特徴とする。
　利用者としての被写体が意図していない図形は、例えば、星の図形とすることができる。
　本発明の第３の画像印刷装置は、被写体を撮影する撮影手段と、撮影手段により撮影された被写体の画像であって落書き対象画像を表示する表示手段と、表示手段により表示された落書き対象画像に対して入力された落書き入力を受け付ける受付手段と、受付手段により受け付けられた落書き入力に基づいて落書き対象画像に落書きする落書き手段と、落書き手段により落書きされた落書き対象画像をシートに印刷する印刷手段とを備え、表示手段の表示画面は、第１の表示画面と、第１の表示画面と並置されている第２の表示画面とからなる複数の表示画面から構成され、第１の表示画面は、撮影手段により撮影された被写体の画像であって、落書き対象画像のうちの第１の落書き対象画像を表示し、第２の表示画面は、第１の表示画面が、第１の落書き対象画像を表示している状態において、第１の表示画面に表示されている第１の落書き対象画像を撮影した撮影手段と同一の撮影手段により撮影された被写体の画像であって、落書き対象画像のうちの第２の落書き対象画像を表示し、受付手段は、複数の表示画面としての第１の表示画面と第２の表示画面のそれぞれに対応するように、第１の表示画面に表示された第１の落書き対象画像の上に入力された落書き入力を受け付ける第１の受付手段と、第２の表示画面に表示された第２の落書き対象画像の上に入力された落書き入力を受け付ける第２の受付手段とが設けられており、複数の表示画面のうち、第１の表示画面に表示された第１の落書き対象画像と、第２の表示画面に表示された第２の落書き対象画像が同一であり、かつ、受付手段としての第１の受付手段と第２の受付手段のうちの一方が、他方から落書き入力を既に受けている位置に対応する位置に落書き入力を受け付けた場合、落書き手段は、利用者としての被写体が意図していない図形を落書きすることを特徴とする。」と訂正する。
（５４）【発明の名称】
画像印刷装置および方法、印刷媒体作成装置および方法、印刷媒体、並びに記録媒体
（５７）【特許請求の範囲】
　【請求項
１
予め定められた時間内に１つの筐体の前面に位置する複数の
処理を複数回行う１つの
　前記撮影手段により撮影
を複数回行なうことで得られた複数の
を含む複数枚
撮影
落書き対象画像を選択するための前記撮影画像、並びに、複数枚の前記撮影画像の中から、最大、シートに印刷可能な画像の種類の枚数だけ選択された前記落書き対象画像の一覧を表示画面に表示するとともに、前記落書き対象画像の一覧からさらに選択された前記
前記
　前記第１の表示手段
に積層され、前記第１の表示手段
前記落書き対象画像の一覧からの前記落書き対象画像の選択を受け付けるとともに、選択された
　前記受付手段により受け付けられた前記落書き入力に基づいて
、前記落書き対象画像の一覧から選択された
　前記落書き手段により落書きされた
、選択された枚数の
前記
　前記第１の表示手段の前記表示画面は、第１の表示画面と、前記第１の表示画面と並置されている第２の表示画面とからなる複数の表示画面から構成され、前記第１の表示画面は、前記撮影手段により撮影された
複数の
を含む複数枚の前記撮影画像の中から選択された前記落書き対象
複数の
を含む複数枚の前記撮影画像の中から選択された前記落書き対象
　前記受付手段は、前記複数の表示画面としての前記第１の表示画面と前記第２の表示画面のそれぞれに対応するように、前記第１の表示画面に表示された１枚の前記第１の落書き対象画像の上に入力された落書き入力を受け付ける第１の受付手段と、前記第２の表示画面に表示された１枚の前記第２の落書き対象画像の上に入力された落書き入力を受け付ける第２の受付手段とが設けられ
、
　前記落書き入力を指示する表示は、前記複数の表示画面のうちの前記第１の表示画面と前記第２の表示画面のそれぞれに表示され、
　複数個設けられている前記受付手段としての前記第１の受付手段と前記第２の受付手段は、前記落書き入力を指示する表示に基づく前記落書き入力をそれぞれ受け付け、
　前記第１の表示画面が表示する前記第１の落書き対象画像は、前記第１の表示画面が前記第１の落書き対象画像と同時に表示している、前記撮影手段により撮影
を行うことで得られた
を含む複数枚
前記撮影
中から、前記被写体により選択された、前記シートに印刷可能な枚数の
前記
　前記第２の表示画面が表示する前記第２の落書き対象画像は、前記第２の表示画面が前記第２の落書き対象画像と同時に表示している、前記撮影手段により撮影
を行うことで得られた
を含む複数枚
前記撮影
中から、前記被写体により選択された、前記シートに印刷可能な枚数の
前記
　ことを特徴とする画像印刷装置。
　【請求項
２
　前記複数の表示画面のうちの前記第２の表示画面に表示される前記第２の落書き対象画像を記憶する第２の記憶手段と
　をさらに備えることを特徴とする請求項
１
　【請求項
３
　ことを特徴とする請求項
２
　【請求項
４
　前記複数の表示画面のうちの前記第２の表示画面の表示に対応する音を発生する第２の音発生手段と
　をさらに備え、
　前記第１の音発生手段と前記第２の音発生手段は、それぞれ異なった音を発生する
　ことを特徴とする請求項１乃至
３
　【請求項
５
　ことを特徴とする請求項１乃至
４
　【請求項
６
　ことを特徴とする請求項１乃至
５
　【請求項
７
予め定められた時間内に１つの筐体の前面に位置する複数の
１つの
処理を複数回行う
　前記撮影ステップの処理により撮影
を複数回行なうことで得られた複数の
を含む複数枚
撮影
落書き対象画像を選択するための前記撮影画像、並びに、複数枚の前記撮影画像の中から、最大、シートに印刷可能な画像の種類の枚数だけ選択された前記落書き対象画像の一覧を表示手段の表示画面に表示するとともに、前記落書き対象画像の一覧からさらに選択された前記
前記表示手段の前記
　
前記表示手段に積層された受付手段により、
前記表示手段の
前記落書き対象画像の一覧からの前記落書き対象画像の選択を受け付けるとともに、選択された
　前記受付ステップの処理により受け付けられた前記落書き入力に基づいて
、前記落書き対象画像の一覧から選択された
　前記落書きステップの処理により落書きされた
、選択された枚数の
前記
　を含み、
　前記表示ステップの処理による表示を、第１の表示画面と、前記第１の表示画面と並置されている第２の表示画面とからなる複数の表示画面に表示させ、前記第１の表示画面には、前記カメラにより撮影された
複数の
を含む複数枚の前記撮影画像の中から選択された前記落書き対象
複数の
を含む複数枚の前記撮影画像の中から選択された前記落書き対象
　前記受付ステップの処理による受け付けを、前記複数の表示画面としての前記第１の表示画面と前記第２の表示画面のうちの、前記第１の表示画面に表示された１枚の前記第１の落書き対象画像の上に入力された落書き入力を受け付けるとともに、前記第２の表示画面に表示された１枚の前記第２の落書き対象画像の上に入力された落書き入力を受け付けるように、前記第１の表示画面と前記第２の表示画面のそれぞれに対応して実行
し、
　
前記落書き入力を指示する表示は、前記複数の表示画面のうちの前記第１の表示画面と前記第２の表示画面のそれぞれに表示され、
　
複数個設けられている前記受付手段としての第１の受付手段と第２の受付手段は、前記落書き入力を指示する表示に基づく前記落書き入力をそれぞれ受け付け、
　
前記第１の表示画面が表示する前記第１の落書き対象画像は、前記第１の表示画面が前記第１の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　
前記第２の表示画面が表示する前記第２の落書き対象画像は、前記折２の表示画面が前記第２の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とする画像印刷方法。
　【請求項
８
予め定められた時間内に１つの筐体の前面に位置する複数の
１つの
処理を複数回行う
　前記撮影ステップの処理により撮影
を複数回行なうことで得られた複数の
を含む複数枚
撮影
落書き対象画像を選択するための前記撮影画像、並びに、複数枚の前記撮影画像の中から、最大、シートに印刷可能な画像の種類の枚数だけ選択された前記落書き対象画像の一覧を表示手段の表示画面に表示するとともに、前記落書き対象画像の一覧からさらに選択された前記
前記表示手段の前記
　
前記表示手段に積層された受付手段により、
前記表示手段の
前記落書き対象画像の一覧からの前記落書き対象画像の選択を受け付けるとともに、選択された
　前記受付ステップの処理により受け付けられた前記落書き入力に基づいて
、前記落書き対象画像の一覧から選択された
　前記落書きステップの処理により落書きされた
、選択された枚数の
前記
　を含み、
　前記表示ステップの処理による表示を、第１の表示画面と、前記第１の表示画面と並置されている第２の表示画面とからなる複数の表示画面に表示させ、前記第１の表示画面には、前記カメラにより撮影された
複数の
を含む複数枚の前記撮影画像の中から選択された前記落書き対象
複数の
を含む複数枚の前記撮影画像の中から選択された前記落書き対象
　前記受付ステップの処理による受け付けを、前記複数の表示画面としての前記第１の表示画面と前記第２の表示画面のうちの、前記第１の表示画面に表示された１枚の前記第１の落書き対象画像の上に入力された落書き入力を受け付けるとともに、前記第２の表示画面に表示された１枚の前記第２の落書き対象画像の上に入力された落書き入力を受け付けるように、前記第１の表示画面と前記第２の表示画面のそれぞれに対応して実行
し、
　
前記落書き入力を指示する表示は、前記複数の表示画面のうちの前記第１の表示画面と前記第２の表示画面のそれぞれに表示され、
　
複数個設けられている前記受付手段としての第１の受付手段と第２の受付手段は、前記落書き入力を指示する表示に基づく前記落書き入力をそれぞれ受け付け、
　
前記第１の表示画面が表示する前記第１の落書き対象画像は、前記第１の表示画面が前記第１の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　
前記第２の表示画面が表示する前記第２の落書き対象画像は、前記第２の表示画面が前記第２の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とする画像印刷方法により生成される印刷媒体。
　【請求項
９
予め定められた時間内での１つの筐体の前面に位置する複数の
１つの
処理を複数回行う
　前記撮影制御ステップの処理により撮影
の
を複数回行なうことで得られた複数の
を含む複数枚
撮影
落書き対象画像を選択するための前記撮影画像、並びに、複数枚の前記撮影画像の中から、最大、シートに印刷可能な画像の種類の枚数だけ選択された前記落書き対象画像の一覧の表示手段の表示画面への表示を制御するとともに、前記落書き対象画像の一覧からさらに選択された前記
前記表示手段の前記
　
前記表示手段に積層された受付手段により、
前記落書き対象画像の一覧からの前記落書き対象画像の選択を受け付けるとともに、選択された
　前記受付ステップの処理により受け付けられた前記落書き入力に基づいて
、前記落書き対象画像の一覧から選択された
　前記落書きステップの処理により落書きされた
、選択された枚数の
前記
　を含み、
　前記表示制御ステップの処理では、前記被写体の前記落書き対象画像の、複数の表示画面としての第１の表示画面と、前記第１の表示画面と並置されている第２の表示画面への表示が、前記第１の表示画面は、前記カメラにより撮影された
複数の
を含む複数枚の前記撮影画像の中から選択された前記落書き対象
複数の
を含む複数枚の前記撮影画像の中から選択された前記落書き対象
　前記受付ステップの処理による受け付けを、前記複数の表示画面としての前記第１の表示画面と前記第２の表示画面のうちの、前記第１の表示画面に表示された１枚の前記第１の落書き対象画像の上に入力された落書き入力を受け付けるとともに、前記第２の表示画面に表示された１枚の前記第２の落書き対象画像の上に入力された落書き入力を受け付けるように、前記第１の表示画面と前記第２の表示画面のそれぞれに対応して実行
し、
　
前記落書き入力を指示する表示は、前記複数の表示画面のうちの前記第１の表示画面と前記第２の表示画面のそれぞれに表示され、
　
複数個設けられている前記受付手段としての第１の受付手段と第２の受付手段は、前記落書き入力を指示する表示に基づく前記落書き入力をそれぞれ受け付け、
　
前記第１の表示画面が表示する前記第１の落書き対象画像は、前記第１の表示画面が前記第１の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　
前記第２の表示画面が表示する前記第２の落書き対象画像は、前記第２の表示画面が前記第２の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　ことを特徴とするコンピュータが読み取り可能なプログラムが記録されている記録媒体。
　【請求項
１０
予め定められた時間内に１つの筐体の前面に位置する複数の
処理を複数回行う１つの
　前記撮影手段により撮影
を複数回行なうことで得られた複数の
を含む複数枚の撮影
落書き対象画像を選択するための前記撮影画像、並びに、複数枚の前記撮影画像の中から、最大、シートに印刷可能な画像の種類の枚数だけ選択された前記落書き対象画像の一覧を表示画面に表示するとともに、前記落書き対象画像の一覧からさらに選択された前記
前記
複数の
を含む複数枚の前記撮影画像の中から選択された前記落書き対象
前記落書き対象画像の一覧からさらに選択された
　
前記表示手段に積層され、前記表示手段の前記表示画面に表示された前記落書き対象画像の一覧からの前記落書き対象画像の選択を受け付けるとともに、
、前記落書き対象画像の一覧から選択された
　前記第１の受付手段と前記第２の受付手段により受け付けられた前記落書き入力に基づいて、前記複数の表示画面としての前記第１の表示画面と前記第２の表示画面に表示された
、前記落書き対象画像の一覧から選択された
　前記落書き手段により落書きされた前記複数の表示画面としての前記第１の表示画面と前記第２の表示画面に表示された前記第１の落書き対象画像と前記第２の落書き対象画像を所定の印刷媒体としての
前記
　前記印刷手段により、前記複数の表示画面としての前記第１の表示画面と前記第２の表示画面に表示された前記第１の落書き対象画像と前記第２の落書き対象画像が印刷された前記印刷媒体としてのシートを排出する排出手段と
　を備
え、
　
前記落書き入力を指示する表示は、前記複数の表示画面のうちの前記第１の表示画面と前記第２の表示画面のそれぞれに表示され、
　
複数個設けられている前記受付手段としての前記第１の受付手段と前記第２の受付手段は、前記落書き入力を指示する表示に基づく前記落書き入力をそれぞれ受け付け、
　
前記第１の表示画面が表示する前記第１の落書き対象画像は、前記第１の表示画面が前記第１の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　
前記第２の表示画面が表示する前記第２の落書き対象画像は、前記第２の表示画面が前記第２の落書き対象画像と同時に表示している、前記撮影手段により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　
こと
　【請求項
１１
予め定められた時間内に１つの筐体の前面に位置する複数の
１つの
処理を複数回行う
　前記撮影ステップの処理により撮影
を複数回行なうことで得られた複数の
を含む複数枚の撮影
、落書き対象画像を選択するための前記撮影画像、並びに、複数枚の前記撮影画像の中から、最大、シートに印刷可能な画像の種類の枚数だけ選択された前記落書き対象画像の一覧を表示手段の表示画面に表示するとともに、前記落書き対象画像の一覧からさらに選択された前記
前記
複数の
を含む複数枚の前記撮影画像の中から選択された前記落書き対象
前記落書き対象画像の一覧からさらに選択された
　
前記表示手段に積層された受付手段により、前記表示手段の前記表示画面に表示された前記落書き対象画像の一覧からの前記落書き対象画像の選択を受け付けるとともに、
、前記落書き対象画像の一覧から選択された
　前記受付ステップの処理により受け付けられた前記落書き入力に基づいて、前記複数の表示画面としての前記第１の表示画面と前記第２の表示画面に表示された
、前記落書き対象画像の一覧から選択された
　前記落書きステップの処理により落書きされた前記複数の表示画面としての前記第１の表示画面と前記第２の表示画面に表示された前記第１の落書き対象画像と前記第２の落書き対象画像を所定の印刷媒体としての
前記
　前記印刷ステップの処理により、前記複数の表示画面としての前記第１の表示画面と前記第２の表示画面に表示された前記落書き対象画像としての前記第１の落書き対象画像と前記第２の落書き対象画像が印刷された前記印刷媒体としてのシートを排出する排出ステップと
　を含
み、
　
前記落書き入力を指示する表示は、前記複数の表示画面のうちの前記第１の表示画面と前記第２の表示画面のそれぞれに表示され、
　
複数個設けられている前記受付手段としての第１の受付手段と第２の受付手段は、前記落書き入力を指示する表示に基づく前記落書き入力をそれぞれ受け付け、
　
前記第１の表示画面が表示する前記第１の落書き対象画像は、前記第１の表示画面が前記第１の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　
前記第２の表示画面が表示する前記第２の落書き対象画像は、前記第２の表示画面が前記第２の落書き対象画像と同時に表示している、前記撮影ステップの処理により撮影を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　
こと
　【請求項
１２
予め定められた時間内での１つの筐体の前面に位置する複数の
１つの
処理を複数回行う
　前記撮影制御ステップの処理により撮影
の
を複数回行なうことで得られた複数の
を含む複数枚の撮影
、落書き対象画像を選択するための前記撮影画像、並びに、複数枚の前記撮影画像の中から、最大、シートに印刷可能な画像の種類の枚数だけ選択された前記落書き対象画像の一覧の表示手段の表示画面への表示を制御するとともに、前記落書き対象画像の一覧からさらに選択された前記
前記
複数の
を含む複数枚の前記撮影画像の中から選択された前記落書き対象
複数の
を含む複数枚の前記撮影画像の中から選択された前記落書き対象
前記落書き対象画像の一覧から選択された
　
前記表示手段に積層された受付手段により、前記表示手段の前記表示画面に表示された前記落書き対象画像の一覧からの前記落書き対象画像の選択を受け付けるとともに、
、前記落書き対象画像の一覧から選択された
　前記受付ステップの処理により受け付けられた前記落書き入力に基づいて、前記複数の表示画面としての前記第１の表示画面と前記第２の表示画面にそれぞれ表示された
、前記落書き対象画像の一覧から選択された
　前記落書きステップの処理により落書きされた前記複数の表示画面としての前記第１の表示画面と前記第２の表示画面に表示された前記落書き対象画像としての前記第１の落書き対象画像と前記第２の落書き対象画像の所定の印刷媒体としての
前記
　前記印刷制御ステップの処理により、前記複数の表示画面としての前記第１の表示画面と前記第２の表示画面に表示された前記落書き対象画像としての前記第１の落書き対象画像と前記第２の落書き対象画像の印刷が制御された前記印刷媒体としてのシートの排出を制御する排出制御ステップと
　を含
み、
　
前記落書き入力を指示する表示は、前記複数の表示画面のうちの前記第１の表示画面と前記第２の表示画面のそれぞれに表示され、
　
複数個設けられている前記受付手段としての第１の受付手段と第２の受付手段は、前記落書き入力を指示する表示に基づく前記落書き入力をそれぞれ受け付け、
　
前記第１の表示画面が表示する前記第１の落書き対象画像は、前記第１の表示画面が前記第１の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第１の受付手段により選択が受け付けられた画像であり、
　
前記第２の表示画面が表示する前記第２の落書き対象画像は、前記第２の表示画面が前記第２の落書き対象画像と同時に表示している、前記撮影制御ステップの処理により撮影の制御を行うことで得られた前記被写体を含む複数枚の前記撮影画像の中から、前記被写体により選択された、前記シートに印刷可能な枚数の前記落書き対象画像の前記一覧の中から、前記第２の受付手段により選択が受け付けられた画像である
　
こと
　【請求項
１３
　前記撮影手段により撮影された前記被写体の画像であって落書き対象画像を表示する表示手段と、
　前記表示手段により表示された前記落書き対象画像に対して入力された落書き入力を受け付ける受付手段と、
　前記受付手段により受け付けられた前記落書き入力に基づいて前記落書き対象画像に落書きする落書き手段と、
　前記落書き手段により落書きされた前記落書き対象画像をシートに印刷する印刷手段とを備え、
　前記表示手段の表示画面は、第１の表示画面と、前記第１の表示画面と並置されている第２の表示画面とからなる複数の表示画面から構成され、前記第１の表示画面は、前記撮影手段により撮影された前記被写体の画像であって、前記落書き対象画像のうちの第１の落書き対象画像を表示し、前記第２の表示画面は、前記第１の表示画面が、前記第１の落書き対象画像を表示している状態において、前記第１の表示画面に表示されている前記第１の落書き対象画像を撮影した前記撮影手段と同一の前記撮影手段により撮影された前記被写体の画像であって、前記落書き対象画像のうちの第２の落書き対象画像を表示し、
　前記受付手段は、前記複数の表示画面としての前記第１の表示画面と前記第２の表示画面のそれぞれに対応するように、前記第１の表示画面に表示された前記第１の落書き対象画像の上に入力された落書き入力を受け付ける第１の受付手段と、前記第２の表示画面に表示された前記第２の落書き対象画像の上に入力された落書き入力を受け付ける第２の受付手段とが設けられており、
　前記複数の表示画面のうち、前記第１の表示画面に表示された前記第１の落書き対象画像と、前記第２の表示画面に表示された前記第２の落書き対象画像が同一であり、かつ、前記受付手段としての前記第１の受付手段と前記第２の受付手段が、前記第１の落書き対象画像と前記第２の落書き対象画像の同一位置に、同時に前記落書き入力を受け付けた場合、前記落書き手段は、利用者としての前記被写体が意図していない図形を落書きする
　ことを特徴とする画像印刷装置。
　【請求項
１４
　前記撮影手段により撮影された前記被写体の画像であって落書き対象画像を表示する表示手段と、
　前記表示手段により表示された前記落書き対象画像に対して入力された落書き入力を受け付ける受付手段と、
　前記受付手段により受け付けられた前記落書き入力に基づいて前記落書き対象画像に落書きする落書き手段と、
　前記落書き手段により落書きされた前記落書き対象画像をシートに印刷する印刷手段とを備え、
　前記表示手段の表示画面は、第１の表示画面と、前記第１の表示画面と並置されている第２の表示画面とからなる複数の表示画面から構成され、前記第１の表示画面は、前記撮影手段により撮影された前記被写体の画像であって、前記落書き対象画像のうちの第１の落書き対象画像を表示し、前記第２の表示画面は、前記第１の表示画面が、前記第１の落書き対象画像を表示している状態において、前記第１の表示画面に表示されている前記第１の落書き対象画像を撮影した前記撮影手段と同一の前記撮影手段により撮影された前記被写体の画像であって、前記落書き対象画像のうちの第２の落書き対象画像を表示し、
　前記受付手段は、前記複数の表示画面としての前記第１の表示画面と前記第２の表示画面のそれぞれに対応するように、前記第１の表示画面に表示された前記第１の落書き対象画像の上に入力された落書き入力を受け付ける第１の受付手段と、前記第２の表示画面に表示された前記第２の落書き対象画像の上に入力された落書き入力を受け付ける第２の受付手段とが設けられており、
　前記複数の表示画面のうち、前記第１の表示画面に表示された前記第１の落書き対象画像と、前記第２の表示画面に表示された前記第２の落書き対象画像が同一であり、かつ、前記受付手段としての前記第１の受付手段と前記第２の受付手段のうちの一方が、他方から落書き入力を既に受けている位置に対応する位置に前記落書き入力を受け付けた場合、前記落書き手段は、利用者としての前記被写体が意図していない図形を落書きする
　ことを特徴とする画像印刷装置。
【発明の詳細な説明】
　【０００１】
　【発明の属する技術分野】
　本発明は、画像印刷装置および方法、印刷媒体作成装置および方法、印刷媒体、並びに記録媒体のプログラムに関し、特に、複数の利用者が異なる画像編集入力を分担して、より快適に画像を印刷できるようにする画像印刷装置および方法、印刷媒体作成装置および方法、印刷媒体、並びに記録媒体のプログラムに関する。
　【０００２】
　【従来の技術】
　従来、利用者の画像を撮影し、これを予め用意された背景画像と合成してシール紙などに印刷して出力する画像印刷装置（例えば、プリント倶楽部（商標））が知られている。
　【０００３】
　例えば、特開２０００−６９４０４号公報には、このような画像印刷装置において、撮影し、表示部に表示されている画像上に付属のペンで、文字、図形などを書き込むことができるようにすることが提案されている。この場合、利用者は、自分の撮影画像上に任意の文字、マークなどを書き込んでプリント画像を作成することができる。
　【０００４】
　【発明が解決しようとする課題】
　しかしながら、上述した公報に記載されている画像印刷装置は、画像の表示部が１つであるため、多くの利用者が撮影画像を迅速に確認することが困難である課題があった。
　【０００５】
　また、任意の文字、マークなどをタッチパネル上に書き込む入力ペンが複数設けられているのに対して、入力部となるタッチパネルが１つしかないため、一方の利用者が書き込みを行っている近傍のエリアに他方の利用者が書き込みを行うことが困難となり、結局、多数の利用者が短い時間内に、多くの文字、図形などを書き込んで楽しむことが困難である課題があった。
　【０００６】
　本発明はこのような状況に鑑みてなされたものであり、多くの利用者が、編集入力を迅速かつ効率的に入力することができるようにするものである。
　【０００７】
　【課題を解決するための手段】
　本発明の第１の画像印刷装置は、
予め定められた時間内に１つの筐体の前面に位置する複数の
処理を複数回行う１つの
を複数回行なうことで得られた複数の
を含む複数枚
撮影
落書き対象画像を選択するための撮影画像、並びに、複数枚の撮影画像の中から、最大、シートに印刷可能な画像の種類の枚数だけ選択された落書き対象画像の一覧を表示画面に表示するとともに、落書き対象画像の一覧からさらに選択された
に積層され、第１の表示手段
落書き対象画像の一覧からの落書き対象画像の選択を受け付けるとともに、選択された
、落書き対象画像の一覧から選択された
、選択された枚数の
複数の
を含む複数枚の撮影画像の中から選択された落書き対象
複数の
を含む複数枚の撮影画像の中から選択された落書き対象
、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影手段により撮影を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が第２の落書き対象画像と同時に表示している、撮影手段により撮影を行うことで得られた被写体を含む複数枚の撮影画像の中から、被写体により選択された、シートに印刷可能な枚数の落書き対象画像の一覧の中から、第２の受付手段により選択が受け付けられた画像である
　【０００８】
　撮影手段は、例えば、図１のＣＣＤカメラ１５により、第１の表示手段を構成する第１の表示画面および第２の表示画面は、例えば、図１の操作パネル１３−１の位置に設けられている図２のモニタ３９−１、および図１の操作パネル１３−２の位置に設けられている図２のモニタ３９−２により、受付手段を構成する第１の受付手段および第２の受付手段は、例えば、図１の操作パネル１３−１の位置に設けられている図２のタッチパネル３８−１、および図１の操作パネル１３−２の位置に設けられている図２のタッチパネル３８−２により、落書き手段は、例えば、図４のステップＳ１４の処理を実行する図２のＣＰＵ３１により、印刷手段は、例えば、図２のプリンタ３６により、それぞれ構成される。
　【０００９】
　本発明の第１の画像印刷装置においては、
予め定められた時間内に１つの筐体の前面に位置する複数の
を
する処理が複数回行われ
を複数回行なうことで得られた複数の
を含む複数枚
撮影
落書き対象画像を選択するための撮影画像、並びに、複数枚の撮影画像の中から、最大、シートに印刷可能な画像の種類の枚数だけ選択された落書き対象画像の一覧が表示画面に表示されるとともに、落書き対象画像の一覧からさらに選択された
落書き対象画像の一覧からの落書き対象画像の選択が受け付けられるとともに、選択された
、落書き対象画像の一覧から選択された
、選択された枚数の
撮影手段により撮影された複数の被写体を含む複数枚の撮影画像の中から選択された落書き対象画像であって、落書き対象画像のうちの第１の落書き対象画像が、第１の表示画面と、第１の表示画面と並置されている第２の表示画面とからなる複数の表示画面から構成された第１の表示手段の第１の表示画面に、１枚の画像として表示され、第１の表示画面に表示されている第１の落書き対象画像を撮影した撮影手段と同一の撮影手段により撮影された複数の被写体を含む複数枚の撮影画像の中から選択された落書き対象画像であって、落書き対象画像のうちの、第１の落書き対象画像とは異なる第２の落書き対象画像が、第１の表示画面が、第１の落書き対象画像を表示している状態において、第２の表示画面に１枚の画像として表示される。また、受付手段は、複数の表示画面としての第１の表示画面と第２の表示画面のそれぞれに対応するように、第１の表示画面に表示された１枚の第１の落書き対象画像の上に入力された落書き入力を受け付ける第１の受付手段と、第２の表示画面に表示された１枚の第２の落書き対象画像の上に入力された落書き入力を受け付ける第２の受付手段とが設けられる。また、落書き入力を指示する表示は、複数の表示画面のうちの第１の表示画面と第２の表示画面のそれぞれに表示され、落書き入力を指示する表示に基づく落書き入力が、複数個設けられている受付手段としての第１の受付手段と第２の受付手段によりそれぞれ受け付けられる。また、第１の表示画面が表示する第１の落書き対象画像は、第１の表示画面が第１の落書き対象画像と同時に表示している、撮影手段により撮影を行うことで得られた被写体を含む複数枚の撮影画像の中から、被写体により選択された、シートに印刷可能な枚数の落書き対象画像の一覧の中から、第１の受付手段により選択が受け付けられた画像とされ、第２の表示画面が表示する第２の落書き対象画像は、第２の表示画面が第２の落書き対象画像と同時に表示している、撮影手段により撮影を行うことで得られた被写体を含む複数枚の撮影画像の中から、被写体により選択された、シートに印刷可能な枚数の落書き対象画像の一覧の中から、第２の受付手段により選択が受け付けられた画像とされる。
　【００１０】
　これにより、多くの利用者が、確実かつ迅速に、撮影画像を確認することができる。また、複数の利用者が同時に編集を行うことができる。
　【００１１】
　なお、図１においては、第１の表示手段の表示画面は、２つ（操作パネル１３−１の位置に配置されるモニタ３９−１、および操作パネル１３−２の位置に配置されるモニタ３９−２）としているが、設置可能な範囲でモニタを増やしてもよい。
　【００１４】
　なお、図１においては、操作パネル１３−１と操作パネル１３−２のそれぞれに１つづつタッチペン（タッチペン１４−１および１４−２）を設けることとしているが、図２のＣＰＵ３１が処理できる範囲で、１つの操作パネルに対して複数のタッチペンを用意しても良い。
　【００２３】
　複数の表示画面のうちの第１の表示画面に表示される第１の落書き対象画像を記憶する第１の記憶手段と、複数の表示画面のうちの第２の表示画面に表示される第２の落書き対象画像を記憶する第２の記憶手段とをさらに備えるようにすることができる。
　【００２４】
　印刷手段は、第１または第２の記憶手段により記憶された画像をシートに印刷するようにすることができる。
　【００２５】
　複数の表示画面のうちの第１の表示画面の表示に対応する音を発生する第１の音発生手段と、複数の表示画面のうちの第２の表示画面の表示に対応する音を発生する第２の音発生手段とをさらに備え、第１の音発生手段と第２の音発生手段は、それぞれ異なった音を発生するようにすることができる。
　【００２６】
　撮影手段が撮影した被写体の画像を、撮影手段の近傍に表示する第２の表示手段をさらに備えるようにすることができる。
　【００２７】
　第２の表示手段は、例えば、図１の取り込み画像表示部１６により構成される。
　【００２８】
　撮影手段が撮影可能な範囲であって、画像印刷装置とほぼ同一の幅の２段の階段をさらに含むようにすることができる。
　【００２９】
　階段は、例えば、図１の階段２１により構成される。
　【００３０】
　本発明の画像印刷装置の画像印刷方法は、
予め定められた時間内に１つの筐体の前面に位置する複数の
１つの
処理を複数回行う
を複数回行なうことで得られた複数の
を含む複数枚
撮影
落書き対象画像を選択するための撮影画像、並びに、複数枚の撮影画像の中から、最大、シートに印刷可能な画像の種類の枚数だけ選択された落書き対象画像の一覧を表示手段の表示画面に表示するとともに、落書き対象画像の一覧からさらに選択された
表示手段の
表示手段に積層された受付手段により、
表示手段の
落書き対象画像の一覧からの落書き対象画像の選択を受け付けるとともに、選択された
、落書き対象画像の一覧から選択された
、選択された枚数の
複数の
を含む複数枚の撮影画像の中から選択された落書き対象
複数の
を含む複数枚の撮影画像の中から選択された落書き対象
し、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影ステップの処理により撮影を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が第２の落書き対象画像と同時に表示している、撮影ステップの処理により撮影を行うことで得られた被写体を含む複数枚の撮影画像の中から、被写体により選択された、シートに印刷可能な枚数の落書き対象画像の前記一覧の中から、第２の受付手段により選択が受け付けられた画像である
　【００３１】
　本発明の印刷媒体は、
予め定められた時間内に１つの筐体の前面に位置する複数の
１つの
処理を複数回行う
を複数回行なうことで得られた複数の
を含む複数枚
撮影
落書き対象画像を選択するための撮影画像、並びに、複数枚の撮影画像の中から、最大、シートに印刷可能な画像の種類の枚数だけ選択された落書き対象画像の一覧を表示手段の表示画面に表示するとともに、落書き対象画像の一覧からさらに選択された
表示手段の
表示手段に積層された受付手段により、
表示手段の
落書き対象画像の一覧からの落書き対象画像の選択を受け付けるとともに、選択された
、落書き対象画像の一覧から選択された
、選択された枚数の
複数の
を含む複数枚の撮影画像の中から選択された落書き対象
複数の
を含む複数枚の撮影画像の中から選択された落書き対象
し、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影ステップの処理により撮影を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が第２の落書き対象画像と同時に表示している、撮影ステップの処理により撮影を行うことで得られた被写体を含む複数枚の撮影画像の中から、被写体により選択された、シートに印刷可能な枚数の落書き対象画像の一覧の中から、第２の受付手段により選択が受け付けられた画像である
　【００３２】
　本発明の第１の記録媒体のプログラムは、
予め定められた時間内での１つの筐体の前面に位置する複数の
１つの
処理を複数回行う
の
を複数回行なうことで得られた複数の
を含む複数枚
撮影
落書き対象画像を選択するための撮影画像、並びに、複数枚の撮影画像の中から、最大、シートに印刷可能な画像の種類の枚数だけ選択された落書き対象画像の一覧の表示手段の表示画面への表示を制御するとともに、落書き対象画像の一覧からさらに選択された
表示手段の
表示手段に積層された受付手段により、
落書き対象画像の一覧からの落書き対象画像の選択を受け付けるとともに、選択された
、落書き対象画像の一覧から選択された
、選択された枚数の
複数の
を含む複数枚の撮影画像の中から選択された落書き対象
複数の
を含む複数枚の撮影画像の中から選択された落書き対象
し、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影制御ステップの処理により撮影の制御を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が前記第２の落書き対象画像と同時に表示している、撮影制御ステップの処理により撮影の制御を行うことで得られた被写体を含む複数枚の撮影画像の中から、被写体により選択された、シートに印刷可能な枚数の落書き対象画像の一覧の中から、第２の受付手段により選択が受け付けられた画像である
　【００３３】
　本発明の印刷媒体作成装置は、
予め定められた時間内に１つの筐体の前面に位置する複数の
処理を複数回行う１つの
を複数回行なうことで得られた複数の
を含む複数枚の撮影
落書き対象画像を選択するための撮影画像、並びに、複数枚の撮影画像の中から、最大、シートに印刷可能な画像の種類の枚数だけ選択された落書き対象画像の一覧を表示画面に表示するとともに、落書き対象画像の一覧からさらに選択された
複数の
を含む複数枚の撮影画像の中から選択された落書き対象
落書き対象画像の一覧からさらに選択された
表示手段に積層され、表示手段の表示画面に表示された落書き対象画像の一覧からの落書き対象画像の選択を受け付けるとともに、
、落書き対象画像の一覧から選択された
、落書き対象画像の一覧から選択された
え、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影手段により撮影を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が第２の落書き対象画像と同時に表示している、撮影手段により撮影を行うことで得られた被写体を含む複数枚の撮影画像の中から、被写体により選択された、シートに印刷可能な枚数の落書き対象画像の一覧の中から、第２の受付手段により選択が受け付けられた画像であること
　【００３４】
　本発明の印刷媒体作成装置の印刷媒体作成方法は、
予め定められた時間内に１つの筐体の前面に位置する複数の
１つの
処理を複数回行う
を複数回行なうことで得られた複数の
を含む複数枚の撮影
、落書き対象画像を選択するための撮影画像、並びに、複数枚の撮影画像の中から、最大、シートに印刷可能な画像の種類の枚数だけ選択された落書き対象画像の一覧を表示手段の表示画面に表示するとともに、落書き対象画像の一覧からさらに選択された
複数の
を含む複数枚の撮影画像の中から選択された落書き対象
落書き対象画像の一覧からさらに選択された
表示手段に積層された受付手段により、表示手段の表示画面に表示された落書き対象画像の一覧からの落書き対象画像の選択を受け付けるとともに、
、落書き対象画像の一覧から選択された
、落書き対象画像の一覧から選択された
み、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影ステップの処理により撮影を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が第２の落書き対象画像と同時に表示している、撮影ステップの処理により撮影を行うことで得られた被写体を含む複数枚の撮影画像の中から、被写体により選択された、シートに印刷可能な枚数の落書き対象画像の一覧の中から、第２の受付手段により選択が受け付けられた画像であること
　【００３５】
　本発明の第２の記録媒体のプログラムは、
予め定められた時間内での１つの筐体の前面に位置する複数の
１つの
処理を複数回行う
の
を複数回行なうことで得られた複数の
を含む複数枚の撮影
、落書き対象画像を選択するための撮影画像、並びに、複数枚の撮影画像の中から、最大、シートに印刷可能な画像の種類の枚数だけ選択された落書き対象画像の一覧の表示手段の表示画面への表示を制御するとともに、落書き対象画像の一覧からさらに選択された
複数の
を含む複数枚の撮影画像の中から選択された落書き対象
複数の
を含む複数枚の撮影画像の中から選択された落書き対象
落書き対象画像の一覧から選択された
表示手段に積層された受付手段により、表示手段の表示画面に表示された落書き対象画像の一覧からの落書き対象画像の選択を受け付けるとともに、
、落書き対象画像の一覧から選択された
、落書き対象画像の一覧から選択された
み、落書き入力を指示する表示は、複数の表示画面のうちの第１の表示画面と第２の表示画面のそれぞれに表示され、複数個設けられている受付手段としての第１の受付手段と第２の受付手段は、落書き入力を指示する表示に基づく落書き入力をそれぞれ受け付け、第１の表示画面が表示する第１の落書き対象画像は、第１の表示画面が第１の落書き対象画像と同時に表示している、撮影制御ステップの処理により撮影の制御を行うことで得られた被写体を含む複数枚の撮影画像の中から、被写体により選択された、シートに印刷可能な枚数の落書き対象画像の一覧の中から、第１の受付手段により選択が受け付けられた画像であり、第２の表示画面が表示する第２の落書き対象画像は、第２の表示画面が第２の落書き対象画像と同時に表示している、撮影制御ステップの処理により撮影の制御を行うことで得られた被写体を含む複数枚の撮影画像の中から、被写体により選択された、シートに印刷可能な枚数の落書き対象画像の一覧の中から、第２の受付手段により選択が受け付けられた画像であること
　本発明の第２の画像印刷装置は、被写体を撮影する撮影手段と、撮影手段により撮影された被写体の画像であって落書き対象画像を表示する表示手段と、表示手段により表示された落書き対象画像に対して入力された落書き入力を受け付ける受付手段と、受付手段により受け付けられた落書き入力に基づいて落書き対象画像に落書きする落書き手段と、落書き手段により落書きされた落書き対象画像をシートに印刷する印刷手段とを備え、表示手段の表示画面は、第１の表示画面と、第１の表示画面と並置されている第２の表示画面とからなる複数の表示画面から構成され、第１の表示画面は、撮影手段により撮影された被写体の画像であって、落書き対象画像のうちの第１の落書き対象画像を表示し、第２の表示画面は、第１の表示画面が、第１の落書き対象画像を表示している状態において、第１の表示画面に表示されている第１の落書き対象画像を撮影した撮影手段と同一の撮影手段により撮影された被写体の画像であって、落書き対象画像のうちの第２の落書き対象画像を表示し、受付手段は、複数の表示画面としての第１の表示画面と第２の表示画面のそれぞれに対応するように、第１の表示画面に表示された第１の落書き対象画像の上に入力された落書き入力を受け付ける第１の受付手段と、第２の表示画面に表示された第２の落書き対象画像の上に入力された落書き入力を受け付ける第２の受付手段とが設けられており、複数の表示画面のうち、第１の表示画面に表示された第１の落書き対象画像と、第２の表示画面に表示された第２の落書き対象画像が同一であり、かつ、受付手段としての第１の受付手段と第２の受付手段が、第１の落書き対象画像と第２の落書き対象画像の同一位置に、同時に落書き入力を受け付けた場合、落書き手段は、利用者としての被写体が意図していない図形を落書きすることを特徴とする。
　利用者としての被写体が意図していない図形は、例えば、星の図形とすることができる。
　本発明の第３の画像印刷装置は、被写体を撮影する撮影手段と、撮影手段により撮影された被写体の画像であって落書き対象画像を表示する表示手段と、表示手段により表示された落書き対象画像に対して入力された落書き入力を受け付ける受付手段と、受付手段により受け付けられた落書き入力に基づいて落書き対象画像に落書きする落書き手段と、落書き手段により落書きされた落書き対象画像をシートに印刷する印刷手段とを備え、表示手段の表示画面は、第１の表示画面と、第１の表示画面と並置されている第２の表示画面とからなる複数の表示画面から構成され、第１の表示画面は、撮影手段により撮影された被写体の画像であって、落書き対象画像のうちの第１の落書き対象画像を表示し、第２の表示画面は、第一の表示画面が、第１の落書き対象画像を表示している状態において、第１の表示画面に表示されている第１の落書き対象画像を撮影した撮影手段と同一の撮影手段により撮影された被写体の画像であって、落書き対象画像のうちの第２の落書き対象画像を表示し、受付手段は、複数の表示画面としての第１の表示画面と第２の表示画面のそれぞれに対応するように、第１の表示画面に表示された第１の落書き対象画像の上に入力された落書き入力を受け付ける第１の受付手段と、第２の表示画面に表示された第２の落書き対象画像の上に入力された落書き入力を受け付ける第２の受付手段とが設けられており、複数の表示画面のうち、第１の表示画面に表示された第１の落書き対象画像と、第２の表示画面に表示された第２の落書き対象画像が同一であり、かつ、受付手段としての第１の受付手段と第２の受付手段のうちの一方が、他方から落書き入力を既に受けている位置に対応する位置に落書き入力を受け付けた場合、落書き手段は、利用者としての被写体が意図していない図形を落書きすることを特徴とする。
　【００３６】
　【発明の実施の形態】
　図１は、本発明を適用した画像印刷装置の外観の構成を示している。画像印刷装置１の筐体１０の前面の左右には、上方から下方へ向かってスピーカ１１−１およびスピーカ１１−２、照明装置１２−１および照明装置１２−２、操作パネル１３−１および操作パネル１３−２、操作パネル１３−１および操作パネル１３−２のそれぞれに表示された画像に対して、編集図形、文字などを入力するタッチペン１４−１およびタッチペン１４−２が設けられる。なお、以下において、スピーカ１１−１およびスピーカ１１−２のそれぞれを個々に区別する必要がない場合、まとめてスピーカ１１と、照明装置１２−１および照明装置１２−２のそれぞれを個々に区別する必要がない場合、まとめて照明装置１２と、操作パネル１３−１および操作パネル１３−２のそれぞれを個々に区別する必要がない場合、まとめて操作パネル１３と、タッチペン１４−１およびタッチペン１４−２のそれぞれを個々に区別する必要がない場合、まとめてタッチペン１４と、それぞれ称する。
　【００３７】
　筐体１０のほぼ垂直な面１０Ａに配置されたスピーカ１１は、利用者に対して、硬貨を投入してからの撮影手順の進行を案内するガイダンスや、利用者が操作パネル１３に表示されている自分自身の撮影画像に対して、後述する編集を行う際のガイダンスなどを出力する。
　【００３８】
　筐体１０のほぼ垂直な（若干上方を向いている）面１０Ｂに配置された照明装置１２は、撮影の際のフラッシュとして機能するとともに、筐体１０および利用者を囲む図示せぬ背景幕により外光が遮断されているため、撮影前の状態においても利用者を照明する。
　【００３９】
　照明装置１２−１と照明装置１２−２の間には、利用者を撮影するためのＣＣＤ（Ｃｈａｒｇｅ　Ｃｏｕｐｌｅｄ　Ｄｅｖｉｃｅ）カメラ１５が設けられ、ＣＣＤカメラ１５が撮影している取り込み画像は、ＣＣＤカメラ１５の下方に設けられている取り込み画像表示部１６に表示される。ＣＣＤカメラ１５と取り込み画像表示部１６により撮影装置１７が構成され、利用者は、足リモートコントローラ（以下、足リモコン２１と称する）を操作して駆動装置１８の駆動可能範囲内で、撮影装置１７を上下方向に移動させることができる。
　【００４０】
　筐体１０のほぼ水平（若干上方を向いている）な面１０Ｃに配置されている操作パネル１３は、液晶ディスプレイまたはＣＲＴ（Ｃａｔｈｏｄｅ−Ｒａｙ　Ｔｕｄｅ）より構成されるモニタと、その上部に積層されるタッチパネルから構成される。操作パネル１３の近傍には、それぞれタッチペン１４が設けられ、ＣＣＤカメラ１５により撮影された画像が操作パネル１３に表示されるため、利用者は、タッチペン１４を利用して撮影画像に後述する落書き処理を施すことができる。また、操作パネル１３には、撮影画像の他に、画像プリントの作成および印刷処理の進行段階に応じて種々の選択ボタン、メッセージなどが表示され、操作パネル１３に表示された選択ボタンをタッチペン１４を利用して選択することにより撮影手順が進行される。
　【００４１】
　操作パネル１３−１の近傍にタッチペン１４−１が、また、操作パネル１３−２の近傍にはタッチペン１４−２が、それぞれ設けられており、操作パネル１３−１および操作パネル１３−２のそれぞれに表示された撮影画像に、２人の利用者が同時に落書き処理などを入力することができる。なお、操作パネル１３−１と操作パネル１３−２に、異なる撮影画像をそれぞれ表示させることができ、利用者は、別々の撮影画像に対して落書き処理などを入力することもできる。
　【００４２】
　操作パネル１３の下方の筐体１０のほぼ垂直な面１０Ｄには、硬貨投入口１９が設けられている。利用者が所定の代金を硬貨投入口１９に投入すると、撮影手順が開始される。
　【００４３】
　筐体１０の右側面には、シール取出口２０が設けられており、撮影し、画像編集した撮影画像が、所定数に分割されたシールに印刷されて排出される。
　【００４４】
　筐体１０の前方には、筐体１０の幅とほぼ同一の幅の２段の階段２２が設置されている。利用者は、撮影する場合、階段２２を利用して、様々なポーズを取って、自分自身を撮影することができる。
　【００４５】
　図２は、画像印刷装置１の構成例を示すブロック図である。なお、図１と対応する部分には、同一の符号を付してある。
　【００４６】
　ＣＰＵ（Ｃｅｎｔｏｒａｌ　Ｐｒｏｃｅｓｓｉｎｇ　Ｕｎｉｔ）３１は、ＲＯＭ（Ｒｅａｄ　Ｏｎｌｙ　Ｍｅｍｏｒｙ）３２に記憶されているプログラムに従って、全体の動作、処理を制御する。すなわち、各処理部は、バス３０を介してＣＰＵ３１に接続され、制御される。
　【００４７】
　ＲＡＭ（Ｒａｎｄｏｍ　Ａｃｃｅｓｓ　Ｍｅｍｏｒｙ）３３は、ＣＰＵ３１の作業用データを記憶するとともに、各処理部において利用者が行った選択、指示などを一時的に記憶する。
　【００４８】
　ドライバ３４は、図示せぬＣＤ−ＲＯＭなどの記録媒体を駆動し、記録情報を読み出す。ＣＤ−ＲＯＭなどの記録媒体には、撮影処理、落書き処理などを含む種々の処理を行うためのプログラムが記録されており、それらのプログラムは実行時に、ＲＡＭ３３に転送されて実行される。また、ＣＤ−ＲＯＭには、音声のガイダンスデータが記録されており、音声出力装置４０−１は、ＣＰＵ３１の指示に基づいてＣＤ−ＲＯＭに記録されているガイダンスデータを読み出してスピーカ１１−１に出力する。スピーカ１１−１が利用者に対して出力するガイダンスには、操作方法や、撮影直前のカウントダウンなどがある。スピーカ１１−２にも、スピーカ１１−１の出力処理と同様の処理が実行されて、メインの操作パネル１３−１からの入力に応じて音声ガイダンスが出力される。なお、音声出力装置４０−１と、音声出力装置４０−２は、それぞれ操作パネル１３−１と操作パネル１３−２からの入力に対応して、異なる音声ガイダンスを出力させるようにすることもできる。
　【００４９】
　硬貨処理部３５は、硬貨投入口１９から投入された硬貨の金額を検出し、所定の代金が投入されたと検出した場合、その旨をＣＰＵ３１に通知する。
　【００５０】
　プリンタ３６は、画像シールを作成する部分であり、ＣＣＤカメラ１５により撮影され、後述の落書き処理などが施された後の画像（プリントすべきとして確定した画像、以下、プリント画像と称する）をシール紙などに印刷し、出力する。プリンタ３６は、利用者が選択したプリント画像を、指定された分割単位（後述する図１２参照）で剥がせるようなシールシート上に印刷する。なお、利用者は、１枚のシールシート上に、数種類のプリント画像を選択して印刷させることができる。
　【００５１】
　表示プロセッサ３７−１は、ＣＰＵ３１からの指示に基づいて撮影手順の案内画面をモニタ３９−１に表示させる。表示プロセッサ３７−１は、内部にＣＣＤカメラ１５の撮影画像を記憶するためのフレームバッファを有する。フレームバッファは、デュアルポートメモリにより構成され、それぞれの領域が一枚分の撮影画像を記憶できる２つの領域に分けて使用される。フレームバッファの第１の領域には、ＣＣＤカメラ１５からの取り込み画像が入力され、撮影後は、撮影した画像（利用者がフレーム画像を選択した場合には、撮影画像とフレーム画像）が記憶される。
　【００５２】
　一方、第２の領域は、落書き処理や明るさ調整などの編集処理において使用される記憶領域であり、撮影が終了した時点では、第１の領域と同一の撮影画像が記憶される。すなわち、編集処理において、利用者がタッチペン１４−１を利用して落書きを入力すると、その入力データが第２の領域内に書き込まれる。なお、利用者は、消しゴム処理を指定することにより、１度付加した落書きを消去し、元の画像に戻すことができる。その場合、表示プロセッサ３７−１は、その消しゴムで指定された部分の画像データを第１の領域から読み出し、第２の領域に書き込ことにより、利用者が消しゴムで指定した部分を、落書き処理を行う前の撮影画像にもどす。
　【００５３】
　操作パネル１３−１は、モニタ３９−１上に、透明なタッチパネル３８−１が積層されて構成されており、モニタ３９−１には、上記の表示プロセッサ３７−１のフレームバッファの第２の領域に記憶されたデータが表示される。したがって、利用者が落書きなどを入力している最中は、落書きなどが施された撮影画像が、モニタ３９−１に表示される。
　【００５４】
　タッチパネル３８−１は、タッチペン１４−１からの入力を検出する。すなわち、利用者は、モニタ３９−１に表示された選択ボタンをタッチペン１４−１を用いて選択したり、モニタ３９−１に表示された撮影画像に対して、その上に落書きなどを行う。タッチペン１４−１による入力データは、タッチパネル３８−１により検出され、入力データとして表示プロセッサ３７−１のフレームバッファの第２の領域に書き込まれる。
　【００５５】
　表示プロセッサ３７−２、タッチパネル３８−２、およびモニタ３９−２の構成は、それぞれ、表示プロセッサ３７−１、タッチパネル３８−１、およびモニタ３９−１と同様の構成であるため、その構成の説明は、省略する。以下、表示プロセッサ３７−１と表示プロセッサ３７−２を個々に区別する必要がない場合、まとめて表示プロセッサ３７と、タッチパネル３８−１とタッチパネル３８−２を個々に区別する必要がない場合、まとめてタッチパネル３８と、モニタ３９−１とモニタ３９−２のそれぞれを個々に区別する必要がない場合、まとめてモニタ３９と、それぞれ称する。
　【００５６】
　次に、図３および図４のフローチャートを参照して、画像印刷装置１の印刷処理について説明する。また、各ステップの処理を説明する際、必要に応じて、図５乃至図１３に示す操作パネル１３の表示例を参照する。なお、図５において、例えば、左側に示す図５（Ａ）を操作パネル１３−１の表示例とし、右側に示す図５（Ｂ）を操作パネル１３−２の表示例とする。図６乃至図１３の表示例においても、図５の構成と同様とする。また、図に示されている各種ボタンを説明する場合、同一機能を有するボタンには、同一符号を付してあり、説明が重複するものについては、その説明を適宜省略する。
　【００５７】
　ステップＳ１において、表示プロセッサ３７は、ＣＰＵ３１からの指示に基づいて操作パネル１３にデモ画面を表示する。操作パネル１３−１のモニタ３９−１には、例えば、図５（Ａ）に示されるデモ画面が表示され、操作パネル１３−２のモニタ３９−２には、例えば、図５（Ｂ）に示されるようなデモ画面が表示される。デモ画面のデータは、図示せぬＣＤ−ＲＯＭからドライバ３４により読み込まれ、バス３０を介して表示プロセッサ３７に転送される。
　【００５８】
　ステップＳ２において、ＣＰＵ３１は、硬貨処理部３５からの通知に基づいて、代金が投入されたか否かを判定する。ＣＰＵ３１は、代金が硬貨投入口１９に投入されたと判定するまで表示プロセッサ３７に対して、デモ画面（図５）を表示することを指示し、代金が投入されたと判定した場合、処理はステップＳ３に進む。
　【００５９】
　ステップＳ３において、表示プロセッサ３７は、ＣＰＵ３１からの指示に基づいて、操作パネル１３に撮影手順の説明画面を表示する。操作パネル１３−１には、例えば、図６（Ａ）および図６（Ｂ）に示されるような説明画面が表示され、操作パネル１３−２には、例えば、図６（Ｃ）に示されるような説明画面が表示される。図６（Ｂ）に示される操作パネル１３−２は、ＣＣＤカメラ１５がリアルタイムで撮影している取り込み画像が表示され、図６（Ａ）および図６（Ｂ）に示される操作パネル１３−１には、操作パネル１３−２に表示されているＣＣＤカメラ１５の取り込み画像の設定方法を説明する画面が表示されている。
　【００６０】
　図６（Ａ）の表示例においては、取り込み画像を横長に表示するか、または縦長に表示するかの表示切換ボタン５０、ＣＣＤカメラ１５のズーム機能を調整するズーム調整ボタン５１、およびＣＣＤカメラ１５が取り込む光量を調整する明るさ調整ボタン５３が表示されている。また、足リモコン２１を操作して、ＣＣＤカメラ１５を含む撮影装置１７を上下方向に移動できることが表示されている。利用者は、この説明画面に応じて、タッチペン１４−１を利用して操作パネル１３−１に表示されている上記ボタンを操作し、取り込み画像を設定する。図６（Ｂ）においては、アップ撮影を説明するデモ画面と、その明るさを調整する明るさ調整ボタン５３が表示されている。
　【００６１】
　ＣＣＤカメラ１５により撮影されている（取り込まれている）取り込み画像は、バス３０を介して表示プロセッサ３７に転送されるとともに、取り込み画像表示部１６に転送されて、表示される。すなわち、ここに動画像が表示される。また、図６（Ａ）および図６（Ｂ）に表示される説明画面にあわせて、音声出力装置４０は、スピーカ１１から音声ガイダンスを出力する。
　【００６２】
　ステップＳ４において、表示プロセッサ３７は、ＣＰＵ３１からの指示に基づいて操作パネル１３に取り込み画像を表示する。操作パネル１３−１には、例えば、図７（Ａ）に示すように、ＣＣＤカメラ１５が撮影している取り込み画面が表示される。既に撮影した撮影画像のうち、利用者が後述するキープボタンを操作してキープ画像を選択している場合、操作パネル１３−２には、図７（Ｂ）に示すように、キープ画像が表示される。なお、利用者は、１枚のシールシートに最大４種類の撮影画像をプリントできるので、最大４種類の画像をキープすることができる。
　【００６３】
　利用者は、操作パネル１３−２に表示されている撮影画像からタッチペン１４−２で指定することにより、既に撮影した画像を削除することができる。また、操作パネル１３−１および、操作パネル１３−２のそれぞれには、撮影開始ボタン６１が表示されるとともに、撮影までの残り時間を示す残り時間メータ６２が表示されている。
　【００６４】
　ステップＳ５において、ＣＰＵ３１は、タッチパネル３８からの通知に基づいて、撮影開始ボタン６１が操作されたか否かを判定する。ＣＰＵ３１は、撮影開始ボタン６１が操作されたと判定するまで取り込み画像を表示させて待機し、いずれかのタッチパネル３８の入力から撮影開始ボタン６１が操作されたと判定した場合、処理はステップＳ６に進む。
　【００６５】
　ステップＳ６において、表示プロセッサ３７は、撮影前のカウントダウン画面を表示する。操作パネル１３−１には、例えば、図８（Ａ）のようなカウントダウン画面が表示される。表示プロセッサ３７−１は、ＣＰＵ３１からの指示に基づいて、画面左側に表示されているカウントダウンインジゲータ７１の１番上の表示から点灯を開始する。ＣＣＤカメラ１５は、カウントダウンインジゲータ７１の１番下の表示が点灯されたとき、撮影を実行する。操作パネル１３−２にも、カウントダウンインジゲータ７１が表示されており、表示プロセッサ３７−２は、表示プロセッサ３７−１の処理と同様に点灯させる。また、カウントダウンインジゲータ７１の点灯に合わせて、音声出力装置４０は、スピーカ１１から音声ガイダンスによるカウントダウンを出力する。
　【００６６】
　また、ＣＣＤカメラ１５の取り込み画像は、ＣＣＤカメラ１５の下方に設けられている取り込み画像表示部１６にも表示される。これにより、利用者は、操作パネル１３に視線を向けることなく、ＣＣＤカメラ１５に視線を合わせて撮影することができる。
　【００６７】
　ステップＳ７において、表示プロセッサ３７は、ＣＰＵ３１からの指示に基づいて、操作パネル１３に印刷写真選択画面を表示する。操作パネル１３−１には、図９（Ａ）に示すように、それまでに撮影した撮影画像のうち、プリントする（キープする）画像を選択するために表示され、利用者は、タッチペン１４−１でカーソルを移動して、キープ画像（印刷する画像）を選択する。また、操作パネル１３−２には、図９（Ｂ）に示すように、操作パネル１３−１に表示されている撮影画像から、選択された画像が拡大して表示される。利用者は、操作パネル１３−２に表示されているプリントボタン９２を操作し、撮影画像をプリント（キープ）するか、削除ボタン９３を操作して撮影画像を削除するかを選択することができる。ＣＰＵ３１は、タッチパネル３８−２からの通知に基づいて、利用者がプリントボタン９２を操作したと判定した場合、処理はステップＳ８に進む。
　【００６８】
　ステップＳ８において、表示プロセッサ３７は、ＣＰＵ３１からの指示に基づいて、操作パネル１３に明るさ調整画面を表示する。操作パネル１３−１には、図１０（Ａ）に示すように、ステップＳ７の処理で印刷することが選択された撮影画像が表示され、その画像の明るさを調整するとき操作される明るさ調整ボタン５３、シールに加工しないとき操作される写真風ボタン１０１、シールシートにプリントするとき操作されるシール風ボタン１０２、横方向に表示されているキープ画像を縦方向に表示を変更するとき操作される表示切換ボタン５０、表示されている画像を削除して再び撮影するとき操作されるとりなおしボタン１０３、編集対象の画像として残しておくとき操作されるキープボタン１０４が表示されている。
　【００６９】
　操作パネル１３−２には、図１０（Ｂ）に示すように、利用者がキープボタン１０４を操作することにより、編集対象の画像として選択したキープ画像が表示される。図１０（Ｂ）の表示例においては、キープ画像として、既に３枚選択されているので、残り撮影可能枚数ウインドウ１１０に「残り１枚」と表示されている。また、操作パネル１３−２には、削除ボタン９３が表示されており、利用者は、これを操作して、選択したキープ画像を削除することができる。さらに、操作パネル１３−２には、撮影終了ボタン１１１が表示されており、利用者は、キープ画像を４枚選択する前でも、次に進むことができる。操作パネル１３−１および操作パネル１３−２には、残り時間メータ６２に明るさ調整の制限時間が表示されている。
　【００７０】
　ステップＳ９において、ＣＰＵ３１は、明るさ調整画面（図１０（Ａ））でとりなおしボタン１０３が操作されたか否かを判定する。ＣＰＵ３１は、タッチパネル３８−１からの通知に基づいてとりなおしボタン１０３が操作されたと判定した場合、ステップＳ４に戻り、それ以降の処理が繰り返し実行される。
　【００７１】
　ステップＳ９において、ＣＰＵ３１は、明るさ調整画面（図１０（Ａ））でとりなおしボタン１０３が操作されていないと判定した場合、ステップＳ１０の処理に進む。
　【００７２】
　ステップＳ１０において、ＣＰＵ３１は、明るさ調整画面（図１０（Ａ））でキープボタン１０４が操作されたか否かを判定する。ＣＰＵ３１は、キープボタン１０４が操作されたと判定した場合、ステップＳ１１において、キープすることが選択された撮影画像をキープ画像に追加する。
　【００７３】
　ステップＳ１２において、ＣＰＵ３１は、表示プロセッサ３７に問い合わせ、残り撮影可能枚数が０か否か（４種類のキープ画像が選択されたか否か）を判定する。ＣＰＵ３１は、残り撮影可能枚数が０でない（まだ撮影可能である）と判定した場合、処理はステップＳ４に戻り、それ以降の処理が繰り返し実行される。
　【００７４】
　ＣＰＵ３１は、ステップＳ１２において、残り撮影可能枚数が０であると判定した場合、並びに、ステップＳ１０でキープボタン１０４が操作されていないと判定された場合、ステップＳ１３の処理に進む。
　【００７５】
　ステップＳ１３において、ＣＰＵ３１は、タッチパネル３８−２からの通知に基づいて、操作パネル１３−２に表示されている撮影終了ボタン１１１（図１０（Ｂ））が操作されたか否かを判定する。ＣＰＵ３１は、撮影終了ボタン１１１が操作されていないと判定した場合、ステップＳ８の処理に戻り、明るさ調整画面の表示を続ける。
　【００７６】
　ステップＳ１３において、ＣＰＵ３１は、撮影終了ボタン１１１が操作されたと判定した場合、ステップＳ１４の処理に進む。また、ＣＰＵ３１は、ステップＳ１２の処理で、残り撮影可能枚数が０と判定すると、利用者に対して撮影終了ボタンしか操作できなくするので、この場合も処理はステップＳ１４に進む。
　【００７７】
　ステップＳ１４において、表示プロセッサ３７は、ＣＰＵ３１からの指示に基づいて、操作パネル１３に落書き画面を表示する。落書き画面は、例えば、図１１（Ａ）および図１１（Ｂ）に示すように表示される。図１１の例では、操作パネル１３−１と操作パネル１３−２で、異なった落書き対象のキープ画像が選択されている。利用者は、落書き対象のキープ画像を、操作パネル１３の右側のキープ画像一覧ウインドウ１２１に表示されているキープ画像の中から、所定のキープ画像をタッチペン１４で選択することで、変更することができる。
　【００７８】
　操作パネル１３の左側には、様々な落書き処理のツールを表示させるとき操作される落書きメニューボタン１２３、実行した処理を再び繰り返すとき操作されるくりかえしボタン１２４、落書きを消去するとき操作される消しゴムボタン１２５、後に詳述する落書き可能範囲を選択するとき操作されるクロマキボタン１２６、および落書き処理を終了してプリントを開始するとき操作されるプリントボタン１２７が表示されている。また、画面上方には、落書きする文字や図形の色を選択するとき操作される色パレットボタン１２８、落書きする線の太さを設定するとき操作されるライン選択ボタン１２９が表示されている。また、落書き処理には、制限時間が設定されており、ＣＰＵ３１は、制限時間が経過したと認識した場合、強制的に次の画面を表示する。制限時間は、残り時間表示ウインドウ１２２に表示されている。
　【００７９】
　なお、落書き処理には、操作パネル１３−１と１３−２の一方から入力された落書き処理が他方の処理に反映される反映処理や、落書き可能範囲を制限する処理があるが、その処理については後述する。
　【００８０】
　ステップＳ１４の落書き処理において、ＣＰＵ３１は、プリントボタン１２７が操作されたか、または、制限時間が経過したと判定した場合、処理はステップＳ１５に進む。
　【００８１】
　ステップＳ１５において、表示プロセッサ３７は、ＣＰＵ３１からの指示に基づいて、操作パネル１３に分割数選択画面を表示する。操作パネル１３−１および操作パネル１３−２には、例えば、図１２（Ａ）および図１２（Ｂ）に示すように、「７×４」、「上半分２×２と下半分３×４の組み合わせ」、「４×２」、「２×２」の分割数選択画面が表示される。利用者は、好みの分割数（プリントサイズ）のシートをタッチペン１４で選択することができる。ＣＰＵ３１は、タッチパネル３８からの通知に基づいてプリンタ３６にプリントするシート（写真シートまたはシールシート）を指示する。
　【００８２】
　ステップＳ１６において、表示プロセッサ３７は、ＣＰＵ３１からの指示に基づいて、プリントしたシールが横から排出されることを案内する案内画面を、操作パネル１３−１および操作パネル１３−２に、例えば、図１３（Ａ）および図１３（Ｂ）に示すように表示させる。その後、処理はステップＳ１に戻る。
　【００８３】
　画像印刷装置１においては、操作パネル１３が２つ設けられているため、２人の利用者が分担して画像編集を入力することができる。そのため、例えば、図４のステップＳ１４の処理で表示される落書き画面において、複数の利用者が、１つの画像に対して、同時に落書きを入力することができる。次に、図１４および図１５のフローチャートを参照して、タッチパネル３８−１（以下、タッチパネルＡとも称する）から入力された落書きを、タッチパネル３８−２（以下、タッチパネルＢとも称する）から入力された落書きとして、または、タッチパネル３８−２から入力された落書きを、タッチパネル３８−１から入力された落書きとして反映させる反映処理について説明する。
　【００８４】
　ステップＳ３１において、ＣＰＵ３１は、タッチパネルＡから落書きが入力されたか否かを判定する。利用者がタッチペン１４−１を利用して落書きを入力した場合、ＣＰＵ３１は、落書きが入力されたと判定し、ステップＳ３２の処理に進む。
　【００８５】
　ステップＳ３２において、ＣＰＵ３１は、編集対象の画像として、モニタ３９−１（以下、モニタＡとも称する）とモニタ３９−２（以下、モニタＢとも称する）で同じキープ画像が表示されているか否かを判定する。操作パネル１３−１の利用者と操作パネル１３−２の利用者が編集対象の画像として同一のキープ画像を選択している場合、ＣＰＵ３１は、モニタＡとモニタＢで同じキープ画像が表示されていると認識し、ステップＳ３３の処理に進む。
　【００８６】
　ステップＳ３３において、ＣＰＵ３１は、タッチパネルＡから入力された落書きと、タッチパネルＢから入力された落書きが、表示プロセッサ３７−１（以下、表示プロセッサＡとも称する）と表示プロセッサ３７−２（以下、表示プロセッサＢとも称する）のフレームバッファの第２の領域に記憶されている画像の同じ位置に、同時に入力されたか否かを判定する。ＣＰＵ３１は、タッチパネルＡから入力された落書きと、タッチパネルＢから入力された落書きが同時に同じ位置に入力されたと判定した場合、ステップＳ３４の処理に進む。
　【００８７】
　ステップＳ３４において、表示プロセッサＡは、ＣＰＵ３１からの指示に基づいて、タッチパネルＡから落書きが入力された位置と同じ位置に、１個の大きな星の図形をモニタＡに表示する。また、表示プロセッサＢも、ＣＰＵ３１からの指示に基づいて、タッチパネルＢから落書きが入力された位置と同じ位置に、１個の大きな星の図形をモニタＢに表示する。
　【００８８】
　図１６は、落書き画面において、ステップＳ３４の処理で表示される操作パネル１３の表示例を示している。図１６（Ａ）は、操作パネル１３−１の表示を、図１６（Ｂ）は、操作パネル１３−２の表示をそれぞれ示している。この例においては、キープ画像の左上方にタッチパネルＡとタッチパネルＢから同時に落書きが入力されたことを示している。
　【００８９】
　ステップＳ３４において、星の図形を表示させた後、ＣＰＵ３１は、ステップＳ３１の処理に戻る。
　【００９０】
　一方、ステップＳ３３において、ＣＰＵ３１は、タッチパネルＡから入力された落書きと、タッチパネルＢから入力された落書きが、表示プロセッサＡと表示プロセッサＢのフレームバッファの第２の領域に記憶されている画像情報の同じ位置に、同時に入力されていないと判定した場合、ステップＳ３５の処理に進む。
　【００９１】
　ステップＳ３５において、ＣＰＵ３１は、タッチパネルＡから落書きが入力された位置は、既に、タッチパネルＢから落書きが入力されている位置か否かを、表示プロセッサＢのフレームバッファの第２の領域の記憶状況を確認することにより判定する。ＣＰＵ３１は、タッチパネルＡから落書きが入力された位置には、既に、タッチパネルＢから落書きが入力されていると判定した場合、ステップＳ３６の処理に進む。
　【００９２】
　ステップＳ３６において、表示プロセッサＡは、ＣＰＵ３１からの指示に基づいて、タッチパネルＡから落書きが入力された位置と同じ位置に、８個の小さな星の図形をモニタＡに表示する。また、表示プロセッサＢも、表示プロセッサＡと同じ位置に、モニタＢに星の図形を表示する。
　【００９３】
　図１７は、落書き画面において、ステップＳ３６の処理で表示される操作パネル１３の表示例を示している。図１７（Ａ）は、操作パネル１３−１の表示を、図１７（Ｂ）は、操作パネル１３−２の表示をそれぞれ示している。この例においては、キープ画像の左下方にタッチパネルＡから落書きが入力されたが、その位置には、図１７（Ｂ）に示すように、既に落書きが入力されているため、図１７（Ａ）に示すように、８個の小さな星の図形が表示される。
　【００９４】
　図１６および図１７に示すように、利用者が意図していない（入力していない）図形を表示させることにより、ゲーム性が高くなり、利用者は、楽しみながら落書きを入力することができる。なお、表示させる記号は星に限られるものではない。また、星が表示されると同時に、スピーカ１１から効果音が出力されるようにしても良い。
　【００９５】
　ステップＳ３６において、星を表示させた後、ＣＰＵ３１は、ステップＳ３１の処理に戻る。
　【００９６】
　一方、ステップＳ３５において、ＣＰＵ３１は、タッチパネルＡから落書きが入力された位置には、タッチパネルＢから落書きが入力されていないと判定した場合、ステップＳ３７の処理に進む。また、ステップＳ３２において、ＣＰＵ３１は、編集対象の画像として、モニタＡとモニタＢで同じキープ画像が表示されていないと判定した場合、ステップＳ３７の処理に進む。
　【００９７】
　ステップＳ３７において、表示プロセッサＡは、ＣＰＵ３１からの指示に基づいて、タッチパネルＡから入力された落書きを処理する。すなわち、タッチパネルＡから入力された落書きを、フレームバッファの第２の領域に記憶させる。
　【００９８】
　ステップＳ３８において、表示プロセッサＡは、ＣＰＵ３１からの指示に基づいて、ステップＳ３７の処理でフレームバッファの第２の領域に記憶させたキープ画像（落書きが施された画像）をモニタＡに表示させる。
　【００９９】
　ステップＳ３９において、ＣＰＵ３１は、タッチパネルＡから入力され、ステップＳ３８の処理でモニタＡに表示させた落書きを、モニタＢにも反映させる（表示させる）必要があるか否かを判定する。すなわち、ＣＰＵ３１は、編集対象のキープ画像としてモニタＡとモニタＢで同じ画像が選択されている場合、モニタＢにもタッチパネルＡからの入力を反映して表示させる必要があると判定し、ステップＳ４０の処理に進む。
　【０１００】
　ステップＳ４０において、表示プロセッサＢは、ＣＰＵ３１からの指示に基づいて、ステップＳ３７の処理で表示プロセッサＡのフレームバッファの第２の領域に記憶された落書き情報を、自らのフレームバッファの第２の領域に記憶させ、記憶させた画像情報をモニタＢに表示させる。その後、処理はステップＳ４１に進む。
　【０１０１】
　ステップＳ３９において、ＣＰＵ３１は、タッチパネルＡから入力された落書きを、モニタＢにも反映させる（表示させる）必要がないと判定した場合、ステップＳ４１の処理に進む。また、ステップＳ３１において、ＣＰＵ３１は、タッチパネルＡから落書きが入力されていないと判定した場合、ステップＳ４１の処理に進む。
　【０１０２】
　ステップＳ４１乃至ステップＳ５０の処理は、ステップＳ３１乃至ステップＳ４０の処理と同様の処理である。すなわち、タッチパネルＡとタッチパネルＢで、落書き対象の画像として、同じキープ画像が選択されており、同じ落書き処理が同時に入力された場合、ステップＳ３４の処理と同様に星を表示し、また、タッチパネルＢから落書きが入力された位置には、既にタッチパネルＡから落書きが入力されている場合、ステップＳ３６の処理と同様に、星を表示する。さらに、ＣＰＵ３１は、タッチパネルＢから入力され、モニタＢに表示されている落書きを、モニタＡに反映させて表示させる必要があると判定した場合、ステップＳ４０の処理と同様に、反映処理を行う。
　【０１０３】
　ステップＳ４１において、タッチパネルＢから落書きが入力されていないと判定された場合、ステップＳ４９において、タッチパネルＢから入力された落書きを、モニタＡに反映させる必要がないと判定された場合、または、ステップＳ５０の処理が完了した場合、ステップＳ５１の処理に進む。
　【０１０４】
　ステップＳ５１において、ＣＰＵ３１は、落書き処理の制限時間が経過したか否か、または、プリントボタン１２７が操作されたか否かを判定する。ＣＰＵ３１は、落書き処理の制限時間が経過しておらず、かつ、プリントボタン１２７が操作されていないと判定した場合、ステップＳ３１の処理に戻り、それ以降の処理が繰り返し実行される。
　【０１０５】
　ステップＳ５１において、ＣＰＵ３１は、落書き処理の制限時間が経過したか、または、プリントボタン１２７が操作されたと判定した場合、図１３および図１４のフローチャートの処理を終了し、図４のステップＳ１５の処理に戻る。
　【０１０６】
　本発明を適用した画像印刷装置１においては、利用者は、落書きを入力する場合、落書き可能な範囲を予め制限することで、自分の顔に落書きをしないように設定することができる。次に、図１８のフローチャートを参照して、落書き範囲制限処理について説明する。図１１に示す落書き画面において、クロマキボタン１２６が操作されたとき、図１８のフローチャートの処理が開始される。
　【０１０７】
　ステップＳ６１において、ＣＰＵ３１は、クロマキボタン１２６が操作されたことに応じて、落書き可能範囲のメニュー画面を表示する。図１９は、このようにして表示される落書き可能範囲のメニュー画面を示している。図１９においては、落書き可能範囲を選択するとき操作される選択ボタン１３１、選択ボタン１３２、選択ボタン１３３の３種類が表示されている。選択ボタン１３１、選択ボタン１３２、選択ボタン１３３のそれぞれには、落書きができる範囲と、できない範囲の例が表示されており、落書きができる範囲は白で、落書きができない範囲は、斜線で表示されている。利用者は、タッチペン１４でカーソルを移動させることにより所定の選択ボタンを選択する。なお、利用者は、画面の下方に表示されているスクロールボタン９２を操作することにより、他の選択ボタンを表示させることができる。
　【０１０８】
　選択ボタン１３１は、落書き対象として選択したキープ画像のどこにでも落書き可能とするとき操作される。選択ボタン１３１の右側には、「どこでもらくがきできるよ」のメッセージが表示されている。選択ボタン１３２は、落書きの対象として選択したキープ画像のうち、斜線部以外の比較的広い範囲（白の範囲）を落書き可能とするとき操作される。選択ボタン１３２の右側には、「白いところだけらくがきできるよ」のメッセージが表示されている。選択ボタン１３３は、落書きの対象として選択したキープ画像のうち、斜線部以外の比較的狭い範囲（白の範囲）を落書き可能とするとき操作される。選択ボタン１３３の右側には、「白いところだけらくがきできるよ（Ｂよりちょっとらくがきの範囲が狭いよ）」のメッセージが表示されている。以下、図示は省略するが、選択ボタン１３１，１３２，１３３以外に、さらに３個の選択ボタン１３４，１３５，１３６が用意されており、スクロールボタン９１を操作することで表示させることができる。
　【０１０９】
　図２０は、落書き可能範囲の設定の例を示す図である。図２０（Ａ）は、表示プロセッサ３７のフレームバッファの第１の記憶領域に記憶されたＲ，Ｇ，Ｂの画素値を表している。なお、画素値は、０００乃至２５５のいずれかの値となる。この例では、暗いエリア（Ｒ，Ｇ，Ｂの画素値が全て閾値より小さいエリア）が落書き可能とされる。その閾値としては、選択ボタン１３１乃至１３６に対応して、２５５（Ａ），１８０（Ｂ），１２８（Ｃ），７０（Ｄ），５０（Ｅ），０（Ｆ）の値が設定されている。
　【０１１０】
　従って、図２０（Ａ）に示すＲ，Ｇ，Ｂの値を有する各画素に対して、図２０（Ｂ）に示すように、閾値Ａ乃至Ｆが適用される。閾値Ａが適用される場合、全ての画素（エリア）に落書きが可能となる。逆に、閾値Ｆが適用される場合、実質的に、全ての画素（エリア）が落書き不可とされる。
　【０１１１】
　ステップＳ６２において、表示プロセッサ３７は、ＣＰＵ３１からの指示に基づいて、モニタ３９に表示されている落書き対象のキープ画像に、落書き可能範囲を重ねて表示する。図２１は、表示プロセッサ３７が、落書き可能範囲を表示させたモニタ３９の表示例を示している。図２１において、落書きの対象は、図１１に示すキープ画像であり、落書き不可の範囲（利用者の顔に対応する範囲）を斜線部で示しており、それ以外の部分は落書き可能範囲とされている。
　【０１１２】
　通常、利用者の背景には幕が配置されるので、利用者の顔が最も明るくなり、その周囲は暗くなる。そこで、上述したように、所定の閾値より暗いエリアに落書き可能とすることで、利用者の顔に不用意に落書きがされてしまうようなことが抑制される。所定の閾値より明るいエリアに落書き可能とすると、このようなことが抑制できないことになる。
　【０１１３】
　ステップＳ６３において、ＣＰＵ３１は、タッチパネル３８からの通知に基づいて、落書きが入力されたか否かを判定する。ＣＰＵ３１は、落書きが入力されたと判定するまで待機し、落書きが入力されたと判定した場合、ステップＳ６４の処理に進む。
　【０１１４】
　ステップＳ６４において、ＣＰＵ３１は、表示プロセッサ３７のフレームバッファの第１の領域に記憶されている各画素値と閾値とを比較して、落書きが入力された位置は、落書きが可能な範囲であるか（画素値が選択された閾値と等しいか、それより小さいか）否かを判定する。ＣＰＵ３１は、落書き可能範囲であると判定した場合、ステップＳ６５の処理に進む。
　【０１１５】
　ステップＳ６５において、ＣＰＵ３１は、落書きが入力された位置に対応するフレームバッファの第２の領域の画像データを、入力された落書きの情報で更新し、モニタ３９に表示する。
　【０１１６】
　一方、ステップＳ６４において、ＣＰＵ３１は、落書きが入力された位置は、落書きが禁止されている（画素値の値が閾値より大きい）範囲であると判定した場合、ステップＳ６６の処理に進む。
　【０１１７】
　ステップＳ６６において、表示プロセッサ３７は、ＣＰＵ３１からの指示に基づいて入力された落書きを表示しない。すなわち、フレームバッファの第２の記憶領域の画像データは更新されずに、そのままのデータが保持される。
　【０１１８】
　ステップＳ６７において、ＣＰＵ３１は、落書き処理の制限時間が経過したか否か、または、プリントボタン１２７が操作されたか否かを判定する。ＣＰＵ３１は、落書き処理の制限時間がまだ経過しておらず、かつ、プリントボタン１２７が操作されていないと判定した場合、ステップＳ６３の処理に戻り、それ以降の処理が繰り返し実行される。
　【０１１９】
　ステップＳ６７において、ＣＰＵ３１は、落書き処理の制限時間が経過した、または、プリントボタン１２７が操作されたと判定した場合、処理を終了する。
　【０１２０】
　なお、図１８のフローチャートに示す処理は、操作パネルが１つだけ設けられている画像印刷装置に適用しても良い。
　【０１２１】
　以上においては、２つの操作パネル１３が設けられている画像印刷装置について説明したが、設置場所の可能な範囲で、操作パネル１３を２つ以上に増やしてもよい。
　【０１２２】
　さらに、操作パネル１３のそれぞれに、１つづつタッチペン１４が設けられるとしたが、ＣＰＵ３１が処理できる範囲で、１つの操作パネル１３に対して複数のタッチペン１４を用意しても良い。
　【０１２３】
　【発明の効果】
　本発明の画像印刷装置によれば、複数の表示画面を設けるようにしたので、編集入力を迅速かつ効率的に入力することができる。
　【０１２４】
　本発明の印刷媒体作成装置によれば、複数の表示画面が設置されている画像印刷装置により撮影され、編集された印刷媒体が作成される。
【図面の簡単な説明】
　【図１】
　本発明を適用した画像印刷装置の外観の例を示す図である。
　【図２】
　画像印刷装置の構成例を示すブロック図である。
　【図３】
　画像印刷装置の印刷処理を説明するフローチャートである。
　【図４】
　画像印刷装置の印刷処理を説明する図３に続くフローチャートである。
　【図５】
　デモ画面の表示例を説明する図である。
　【図６】
　説明画面の表示例を説明する図である。
　【図７】
　取り込み画像の例を説明する図である。
　【図８】
　撮影画面の例を説明する図である。
　【図９】
　印刷写真選択画面の例を説明する図である。
　【図１０】
　明るさ調整画面の例を説明する図である。
　【図１１】
　落書き画面の例を説明する図である。
　【図１２】
　分割数選択画面の例を説明する図である。
　【図１３】
　案内画面の例を説明する図である。
　【図１４】
　画像印刷装置の反映処理を説明するフローチャートである。
　【図１５】
　画像印刷装置の反映処理を説明する図１４に続くフローチャートである。
　【図１６】
　他の落書き画面の例を説明する図である。
　【図１７】
　さらに他の落書き画面の例を説明する図である。
　【図１８】
　画像印刷装置の落書き範囲制限処理を説明するフローチャートである。
　【図１９】
　落書き範囲選択メニューの表示例を説明する図である。
　【図２０】
　フレームバッファの例を説明する図である。
　【図２１】
　落書き範囲の表示例を説明する図である。
　【符号の説明】
　１　画像印刷装置
　１０　筐体
　１１−１および１１−２　スピーカ
　１２−１および１２−２　照明装置
　１３−１および１３−２　操作パネル
　１４−１および１４−２　タッチペン
　１５　ＣＣＤカメラ
　１６　取り込み画像表示部
　１７　撮影装置
　１８　駆動装置
　１９　硬貨投入口
　２０　シール取出口
　２１　足リモコン
　２２　階段
　３０　バス
　３１　ＣＰＵ
　３２　ＲＯＭ
　３３　ＲＡＭ
　３４　ドライバ
　３５　硬貨処理部
　３６　プリンタ
　３７−１　表示プロセッサ
　３７−２　表示プロセッサ
　３８−１　タッチパネル
　３８−２　タッチパネル
　３９−１　モニタ
　３９−２　モニタ
　４０−１および４０−２　音声出力装置